(57)【特許請求の範囲】
【請求項１】
被写体像を撮像する撮像装置と、
前記撮像装置に設定されている露光感度を用いて露出演算を行い、適正露出が得られない場合に前記適正露出に近づけるように前記露光感度を変更して制御露出を演算する演算回路と、
回転操作部材からの操作信号のみに応じて前記露光感度を前記撮像装置に設定する設定回路と、
前記演算回路および前記設定回路のいずれか一方に前記演算の許可または前記設定の許可を行う制御回路とを備え、
前記設定回路は、絞り優先モードにおいて前記設定を許可された場合、マニュアルモード時にシャッター速度の変更操作に用いられる回転操作部材からの操作信号のみに応じて前記露光感度を前記撮像装置に設定すること
を特徴とする電子カメラ。
【請求項２】
請求項１に記載の電子カメラにおいて、
前記設定回路は、プログラムモードまたはシャッター優先モードにおいて前記設定を許可された場合、マニュアルモード時に絞り値の変更操作に用いられる回転操作部材からの操作信号のみに応じて前記露光感度を前記撮像装置に設定すること
を特徴とする電子カメラ。
【請求項３】
被写体像を撮像する撮像装置と、
前記撮像装置に設定されている露光感度を用いて露出演算を行い、適正露出が得られない場合に前記適正露出に近づけるように前記露光感度を変更して制御露出を演算する演算回路と、
回転操作部材からの操作信号のみに応じて前記露光感度を前記撮像装置に設定する設定回路と、
前記演算回路および前記設定回路のいずれか一方に前記演算の許可または前記設定の許可を行う制御回路とを備え、
前記設定回路は、プログラムモードまたはシャッター優先モードにおいて前記設定を許可された場合、マニュアルモード時に絞り値の変更操作に用いられる回転操作部材からの操作信号のみに応じて前記露光感度を前記撮像装置に設定すること
を特徴とする電子カメラ。
【請求項４】
請求項１から請求項３のいずれか一項に記載の電子カメラにおいて、
コマ数情報を含む表示を行う表示装置を更に備え、
前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態でマニュアルモードに切替操作されたとき、前記露光感度を示す表示に代えて前記コマ数情報を表示するように前記表示装置を制御すること
を特徴とする電子カメラ。
【請求項５】
請求項１から請求項３のいずれか一項に記載の電子カメラにおいて、
コマ数情報を含む表示を行う表示装置を更に備え、
前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態で撮影したとき、前記露光感度を示す表示に代えて前記コマ数情報を所定時間表示し、再び前記露光感度を示す表示を行うように前記表示装置を制御すること
を特徴とする電子カメラ。
【請求項６】
被写体像を撮像する撮像装置と、
前記撮像装置に設定されている露光感度を用いて露出演算を行い、適正露出が得られない場合に前記適正露出に近づけるように前記露光感度を変更して制御露出を演算する演算回路と、
回転操作部材からの操作信号のみに応じて前記露光感度を前記撮像装置に設定する設定回路と、
前記演算回路および前記設定回路のいずれか一方に前記演算の許可または前記設定の許可を行う制御回路と、
コマ数情報を含む表示を行う表示装置とを備え、
前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態でマニュアルモードに切替操作されたとき、前記露光感度を示す表示に代えて前記コマ数情報を表示するように前記表示装置を制御すること
を特徴とする電子カメラ。
【請求項７】
被写体像を撮像する撮像装置と、
前記撮像装置に設定されている露光感度を用いて露出演算を行い、適正露出が得られない場合に前記適正露出に近づけるように前記露光感度を変更して制御露出を演算する演算回路と、
回転操作部材からの操作信号のみに応じて前記露光感度を前記撮像装置に設定する設定回路と、
前記演算回路および前記設定回路のいずれか一方に前記演算の許可または前記設定の許可を行う制御回路と、
コマ数情報を含む表示を行う表示装置とを備え、
前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態で撮影したとき、前記露光感度を示す表示に代えて前記コマ数情報を所定時間表示し、再び前記露光感度を示す表示を行うように前記表示装置を制御すること
を特徴とする電子カメラ。
【請求項８】
請求項１から請求項７のいずれか一項に記載の電子カメラにおいて、
前記制御回路は、前記演算回路に前記演算を許可した状態で前記設定回路へ前記設定を許可せず、前記設定回路に前記設定を許可した状態で前記演算回路へ前記演算を許可しないこと
を特徴とする電子カメラ。
【請求項９】
請求項１から請求項７のいずれか一項に記載の電子カメラにおいて、
前記制御回路は、前記演算回路に前記演算を許可した状態で前記設定回路へ前記設定を許可する場合は前記演算回路への前記演算許可を取消し、前記設定回路に前記設定を許可した状態で前記演算回路へ前記演算を許可する場合は前記設定回路への設定許可を取り消すこと
を特徴とする電子カメラ。
【発明の詳細な説明】
【技術分野】
【０００１】
本発明は、電子カメラに関する。
【背景技術】
【０００２】
ＩＳＯ感度の設定変更操作を行える電子カメラが知られている（特許文献１参照）。従来技術では、所定のボタン操作が行われた状態でダイヤルが回転操作されると、回転操作に応じてＩＳＯ感度値が変更される。
【０００３】
【特許文献１】特開２００３−１４３４７０号公報
【発明の開示】
【発明が解決しようとする課題】
【０００４】
ボタン操作を行いながらダイヤル操作することを煩わしいと感じるユーザーが存在する。しかしながら、仮にボタン操作を行うことなくダイヤル操作による感度設定を許容すると、カメラが自動的に感度を制御している場合において、ユーザーがダイヤル操作で所定感度に設定しようとしても、カメラ自身が他の感度値に制御しようとするために設定操作が行えないという事態が想定される。
【課題を解決するための手段】
【０００５】
請求項１に記載の電子カメラは、被写体像を撮像する撮像装置と、前記撮像装置に設定されている露光感度を用いて露出演算を行い、適正露出が得られない場合に前記適正露出に近づけるように前記露光感度を変更して制御露出を演算する演算回路と、回転操作部材からの操作信号のみに応じて前記露光感度を前記撮像装置に設定する設定回路と、前記演算回路および前記設定回路のいずれか一方に前記演算の許可または前記設定の許可を行う制御回路とを備え、前記設定回路は、絞り優先モードにおいて前記設定を許可された場合、マニュアルモード時にシャッター速度の変更操作に用いられる回転操作部材からの操作信号のみに応じて前記露光感度を前記撮像装置に設定することを特徴とする。
請求項２に記載の電子カメラは、請求項１に記載の電子カメラにおいて、前記設定回路は、プログラムモードまたはシャッター優先モードにおいて前記設定を許可された場合、マニュアルモード時に絞り値の変更操作に用いられる回転操作部材からの操作信号のみに応じて前記露光感度を前記撮像装置に設定することを特徴とする。
請求項３に記載の電子カメラは、被写体像を撮像する撮像装置と、前記撮像装置に設定されている露光感度を用いて露出演算を行い、適正露出が得られない場合に前記適正露出に近づけるように前記露光感度を変更して制御露出を演算する演算回路と、回転操作部材からの操作信号のみに応じて前記露光感度を前記撮像装置に設定する設定回路と、前記演算回路および前記設定回路のいずれか一方に前記演算の許可または前記設定の許可を行う制御回路とを備え、前記設定回路は、プログラムモードまたはシャッター優先モードにおいて前記設定を許可された場合、マニュアルモード時に絞り値の変更操作に用いられる回転操作部材からの操作信号のみに応じて前記露光感度を前記撮像装置に設定することを特徴とする。
請求項４に記載の電子カメラは、請求項１から請求項３のいずれか一項に記載の電子カメラにおいて、コマ数情報を含む表示を行う表示装置を更に備え、前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態でマニュアルモードに切替操作されたとき、前記露光感度を示す表示に代えて前記コマ数情報を表示するように前記表示装置を制御することを特徴とする。
請求項５に記載の電子カメラは、請求項１から請求項３のいずれか一項に記載の電子カメラにおいて、コマ数情報を含む表示を行う表示装置を更に備え、前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態で撮影したとき、前記露光感度を示す表示に代えて前記コマ数情報を所定時間表示し、再び前記露光感度を示す表示を行うように前記表示装置を制御することを特徴とする。
請求項６に記載の電子カメラは、被写体像を撮像する撮像装置と、前記撮像装置に設定されている露光感度を用いて露出演算を行い、適正露出が得られない場合に前記適正露出に近づけるように前記露光感度を変更して制御露出を演算する演算回路と、回転操作部材からの操作信号のみに応じて前記露光感度を前記撮像装置に設定する設定回路と、前記演算回路および前記設定回路のいずれか一方に前記演算の許可または前記設定の許可を行う制御回路と、コマ数情報を含む表示を行う表示装置とを備え、前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態でマニュアルモードに切替操作されたとき、前記露光感度を示す表示に代えて前記コマ数情報を表示するように前記表示装置を制御することを特徴とする。
請求項７に記載の電子カメラは、被写体像を撮像する撮像装置と、前記撮像装置に設定されている露光感度を用いて露出演算を行い、適正露出が得られない場合に前記適正露出に近づけるように前記露光感度を変更して制御露出を演算する演算回路と、回転操作部材からの操作信号のみに応じて前記露光感度を前記撮像装置に設定する設定回路と、前記演算回路および前記設定回路のいずれか一方に前記演算の許可または前記設定の許可を行う制御回路と、コマ数情報を含む表示を行う表示装置とを備え、前記制御回路は、前記設定回路へ前記設定を許可している場合、前記コマ数情報に代えて前記露光感度を示す表示を行うように前記表示装置を制御し、前記コマ数情報に代えて前記露光感度を示す表示を行わせている状態で撮影したとき、前記露光感度を示す表示に代えて前記コマ数情報を所定時間表示し、再び前記露光感度を示す表示を行うように前記表示装置を制御することを特徴とする。
請求項８に記載の電子カメラは、請求項１から請求項７のいずれか一項に記載の電子カメラにおいて、前記制御回路は、前記演算回路に前記演算を許可した状態で前記設定回路へ前記設定を許可せず、前記設定回路に前記設定を許可した状態で前記演算回路へ前記演算を許可しないことを特徴とする。
請求項９に記載の電子カメラは、請求項１から請求項７のいずれか一項に記載の電子カメラにおいて、前記制御回路は、前記演算回路に前記演算を許可した状態で前記設定回路へ前記設定を許可する場合は前記演算回路への前記演算許可を取消し、前記設定回路に前記設定を許可した状態で前記演算回路へ前記演算を許可する場合は前記設定回路への設定許可を取り消すことを特徴とする。
【発明の効果】
【０００６】
本発明による電子カメラでは、カメラが感度を制御しようとすることに起因してユーザーによる感度設定操作が行えないという事態を防止できる。
【発明を実施するための最良の形態】
【０００７】
以下、図面を参照して本発明を実施するための最良の形態について説明する。図１は、本発明の一実施の形態による電子カメラの上面図である。電子カメラ１は、カメラ本体２に撮影レンズ３を装着して使用される。カメラ本体２には、レリーズボタン１１と、メインコマンドダイヤル１２と、サブコマンドダイヤル１３と、感度ボタン(ISO)１４と、モードボタン(MODE)１５と、画質モードボタン(QUAL)１６と、カスタムセッティングボタン(CSM)１７と、感度自動制御モード設定ボタン(ISOAUTO)１８と、表示器２１とが備えられている。
【０００８】
図２は、表示器２１による表示内容を説明する図である。セグメント２９は「ＩＳＯ」を表示し、セグメント３０は「ＡＵＴＯ」を表示する。７セグメント構成で「８」を４桁分表示するセグメント群２２は、シャッタ速度を示す表示を行う。
【０００９】
「F」を表示するセグメント、小数点および７セグメント構成で「８」を２桁分表示するセグメント群２３は、絞り値を示す表示を行う。セグメント群２４は、露出モードを示す表示を行う。セグメント２５は「ＣＳＭ」を表示し、セグメント群２６は、記録画素数（画像サイズ）を示す表示を行う。セグメント群２７は、記録画質（画質モード）を示す表示を行う。「［」、「］」および７セグメント構成で「８」を３桁分表示するセグメント群２８は、残コマ数を示す表示を行う。セグメント３１は補助セグメントである。
【００１０】
図３は、電子カメラ１の構成を説明するブロック図である。図３において、演算回路１０１はマイクロコンピュータなどによって構成される。演算回路１０１は、後述する各ブロックから出力される信号を入力して所定の演算を行い、演算結果に基づいて各ブロックへ制御信号を出力する。撮像素子１２１は、ＣＣＤイメージセンサなどによって構成される。撮像素子１２１は、撮影レンズ３（図１）を通過した被写体光による像を撮像し、撮像信号をＡ／Ｄ変換回路１２２へ出力する。
【００１１】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動制御される。
【００１２】
撮像素子１２１は、所定の範囲内で撮像感度（露光感度）を変更可能に構成されている。撮像感度とは、撮像素子１２１に蓄積される電荷の検出感度、もしくは不図示の増幅回路の増幅利得を変化させる被制御量のことをいい、相当するＩＳＯ感度値で表される。本実施形態では、ＩＳＯ１００相当〜ＩＳＯ１６００相当の範囲で設定可能である。
【００１３】
撮像信号処理回路を構成するＡＳＩＣ１２３は、演算回路１０１からの指示に応じてディジタル変換後の画像信号に所定の信号処理を行う。処理内容は、カラー画像データの色温度を適切にするホワイトバランス（ＷＢ）調整などの画像処理、画像処理後の画像データを所定の形式で圧縮する圧縮処理、圧縮処理後のデータを伸長する伸長処理などである。バッファメモリ１２５は、ＡＳＩＣ１２３による信号処理中、あるいは信号処理前後の画像データを一時的に格納する。記録媒体１２６は、着脱可能なフラッシュメモリなどによって構成される。記録媒体１２６は、バッファメモリ１２５に格納されている画像データを記録する。
【００１４】
測光装置１０２は、撮影レンズ３（図１）を透過した光量を検出し、光量検出信号を演算回路１０１へ出力する。光量検出信号は被写界の明るさを示す。シャッタ駆動回路１０５は、シャッタ１０６の不図示の先幕および後幕の保持および解除をそれぞれ制御する。絞り位置検出装置１０７は、後述するシーケンス装置によって絞り込み駆動されている絞りの位置を検出し、絞り位置検出信号を演算回路１０１へ出力する。絞り係止装置１０８は駆動中の絞りを係止し、所定の絞り値で絞りを停止させる。
【００１５】
モータ駆動回路１０３は、演算回路１０１の指示によってシーケンスモータ１０４を駆動制御する。シーケンスモータ１０４は不図示のシーケンス駆動装置を構成し、不図示のミラーのアップ／ダウン、不図示の絞りの駆動、およびシャッタ１０６のチャージなどを行う。シーケンススイッチＳＷ１２は不図示のシーケンス駆動装置に組み込まれ、シーケンスモータ１０４のブレーキ制御タイミングなどを発生する。
【００１６】
表示装置１０９は表示器２１（図１）を含み、演算回路１０１からの指示に応じて露出モード、シャッタ速度、絞り値、残コマ数（または連続撮影可能コマ数）、撮像感度などを示す表示を行う。
【００１７】
半押しスイッチＳＷ１は、レリーズボタン１１（図１）の全ストロークの中間までの押し下げ操作に連動してオンし、当該中間ストロークの押し下げ操作解除によってオフする。全押しスイッチＳＷ２は、レリーズボタン１１（図１）の全ストロークの押し下げ操作に連動してオンし、当該全ストロークの押し下げ操作解除によってオフする。全押しスイッチＳＷ２のオン信号は演算回路１０１へ入力され、撮影開始指示のトリガとなる。
【００１８】
モードスイッチＳＷ３は、モードボタン１５（図１）の押し下げ操作に連動してオンし、当該押し下げ操作解除によってオフする。モードスイッチＳＷ３からオン信号が出力されている間にメインコマンドダイヤル１２から回転操作信号が出力された場合、演算回路１０１は当該操作信号を露出モード変更指示として扱い、プログラムモード（以下Ｐモードと呼ぶ）、シャッタ優先モード（以下Ｓモードと呼ぶ）、絞り優先モード（以下Ａモードと呼ぶ）、マニュアルモード（以下Ｍモードと呼ぶ）のいずれかのモードへ選択切替えを行う。
【００１９】
感度スイッチＳＷ４は、感度ボタン１４（図１）の押し下げ操作に連動してオンし、当該押し下げ操作の解除によってオフする。感度スイッチＳＷ４からオン信号が出力されている間にメインコマンドダイヤル１２から回転操作信号が出力された場合、演算回路１０１は当該回転操作信号を撮像感度（以下感度と呼ぶ）変更指示として扱い、感度をＩＳＯ１００相当〜ＩＳＯ１６００相当の範囲で設定する。
【００２０】
なお、後述するカスタムセッテイング時（感度簡易設定の機能をセットした場合）には、感度ボタン１４を操作することなしに（感度スイッチＳＷ４からオン信号が出力されていなくても）サブコマンドダイヤル１３から回転操作信号のみ（Ｐモード、Ｓモード）が出力された場合、またはメインコマンドダイヤル１２から回転操作信号のみ（Ａモード）が出力された場合にも、それぞれの回転操作信号を感度変更指示として扱い、感度をＩＳＯ１００相当〜ＩＳＯ１６００相当の範囲で設定するように構成される。
【００２１】
画質スイッチＳＷ５は、画質モードボタン１６（図１）の押し下げ操作に連動してオンし、当該押し下げ操作の解除によってオフする。画質スイッチＳＷ５からオン信号が出力されている間にメインコマンドダイヤル１２から回転操作信号が出力された場合、演算回路１０１は当該回転操作信号を画質モード変更指示として扱い、「ＲＡＷ」、「ＦＩＮＥ」、「ＮＯＲＭ」、「ＢＡＳＩＣ」、「ＲＡＷ＋ＦＩＮＥ」、「ＲＡＷ＋ＮＯＲＭ」、「ＲＡＷ＋ＢＡＳＩＣ」のいずれかの記録画質モードへ選択切替えを行う。
【００２２】
また、演算回路１０１は、画質スイッチＳＷ５からオン信号が出力されている間にサブコマンドダイヤル１３から回転操作信号が出力された場合、当該回転操作信号を記録画素数変更指示として扱い、記録画素数を「Ｌサイズ」、「Ｍサイズ」、「Ｓサイズ」のいずれかに変更する。
【００２３】
カスタムスイッチＳＷ６は、カスタムセッティングボタン１７（図１）の押し下げ操作に連動してオンし、当該押し下げ操作の解除によってオフする。カスタムスイッチＳＷ６からオン信号が出力されている間にメインコマンドダイヤル１２から回転操作信号が出力された場合、演算回路１０１は当該回転操作信号をカスタム設定（本実施形態では感度簡易設定）指示として扱い、感度簡易設定の設定と解除とを切替える。
【００２４】
感度自動制御スイッチＳＷ７は、感度自動制御モード設定ボタン１８（図１）の押し下げ操作に連動してオンし、当該押し下げ操作の解除によってオフする。感度自動制御スイッチＳＷ７からオン信号が出力されている間にメインコマンドダイヤル１２から回転操作信号が出力された場合、演算回路１０１は当該回転操作信号を感度自動制御指示として扱い、感度自動制御モードの設定と解除とを切替える。「感度自動制御」は、電子カメラ１に設定されている感度、および算出した被写体輝度を用いて露出演算を行い、適正露出が得られない場合に感度を自動的に変更してさらに露出演算を行う制御をいう。
【００２５】
メインコマンドダイヤルスイッチＳＷ８およびＳＷ９は、メインコマンドダイヤル１２の回転操作に連動してオン／オフする。演算回路１０１は、両スイッチＳＷ８、ＳＷ９による信号のオン／オフ回数に基づいて回転操作量を検出し、両スイッチＳＷ８、ＳＷ９による信号の位相関係に基づいて回転方向を検出する。
【００２６】
サブコマンドダイヤルスイッチＳＷ１０およびＳＷ１１は、サブコマンドダイヤル１３の回転操作に連動してオン／オフする。演算回路１０１は、両スイッチＳＷ１０、ＳＷ１１による信号のオン／オフ回数に基づいて回転操作量を検出し、両スイッチＳＷ１０、ＳＷ１１による信号の位相関係に基づいて回転方向を検出する。
【００２７】
＜メイン処理＞
電子カメラ１の演算回路１０１で行われるカメラ動作の処理について、図４に示すフローチャートを参照して説明する。図４のフローチャートによるプログラムは、電子カメラ１に不図示の電池が装填されると起動する。
【００２８】
図４のステップＳ１において、演算回路１０１は初期設定を行う。具体的には、設定感度ＳＶｓを５（ＩＳＯ１００）に、設定シャッタ速度ＴＶｓを７（１／１２５秒）に、設定絞り値ＡＶｓを５（Ｆ５．６）に、記録画質パラメータＱを６（ＮＯＲＭ）に、記録画素数パラメータＳを１（Ｌサイズ）に、感度自動制御モード設定フラグＩを０に、カスタムセッティングフラグＣＳを０に、モードパラメータＭを１（Ｐモード）に、それぞれセットする。
【００２９】
設定感度ＳＶｓ、設定シャッタ速度ＴＶｓ、および設定絞り値ＡＶｓは、それぞれアペックス値を用いる。設定感度ＳＶｓの設定可能範囲は、上述したとおり５（ＩＳＯ１００）〜９（ＩＳＯ１６００）である。設定シャッタ速度ＴＶｓの設定可能範囲は、たとえば０（１秒）〜１２（１／４０００秒）である。設定絞り値ＡＶｓの設定可能範囲は、たとえば３（Ｆ２．８）〜９（Ｆ２２）である。
【００３０】
記録画質パラメータＱは１〜７の整数が設定可能であり、１は（ＲＡＷ＋ＦＩＮＥ）、２は（ＲＡＷ＋ＮＯＲＭ）、３は（ＲＡＷ＋ＢＡＳＩＣ）、４は（ＲＡＷ）、５は（ＦＩＮＥ）、６は（ＮＯＲＭ）、７は（ＢＡＳＩＣ）に対応する。
【００３１】
記録画素数パラメータＳは１〜３の整数が設定可能であり、１は（Ｌサイズ）、２は（Ｍサイズ）、３は（Ｓサイズ）に対応する。感度自動制御モード設定フラグＩは、「感度自動制御モード」に設定されると１に、「感度自動制御モード」が解除されると０にセットされる。
【００３２】
カスタムセッティングフラグＣＳは、感度簡易設定の機能がセットされると１に、感度簡易設定の機能が解除されると０にセットされる。モードパラメータＭは、露出モードＭは１〜４の整数が設定可能であり、１は（Ｐモード）、２は「Ｓモード」、３は（Ａモード）、４は（Ｍモード）に対応する。
【００３３】
ステップＳ２において、演算回路１０１は設定処理を行ってステップＳ３へ進む。設定処理の詳細については後述する。ステップＳ３において、演算回路１０１は、測光装置１０２から入力される検出信号によってレンズ透過光量（ＢＶ−ＡＶ０）を演算し、この演算値を用いて被写体輝度ＢＶを演算する測光を行い、ステップＳ４へ進む。被写体輝度ＢＶは、レンズ透過光量（ＢＶ−ＡＶ０）に開放絞り値ＡＶ０を加算することにより求めることができる。本実施の形態ではＡＶ０＝３、すなわちＦ２．８とする。ＢＶ、ＡＶ０（上記例では３）は、それぞれアペックス値を用いる。
【００３４】
ステップＳ４において、演算回路１０１は露出演算処理を行ってステップＳ５へ進む。露出演算処理の詳細については後述する。ステップＳ５において、演算回路１０１は記録媒体１２６に記録可能な残コマ数を算出してステップＳ６へ進む。残コマ数Ｎは、記録媒体１２６の残メモリ領域と、記録画質パラメータＱと、記録画素数パラメータＳとを用いて算出する。
【００３５】
ステップＳ６において、演算回路１０１は表示装置１０９に対する表示１の処理を行ってステップＳ７へ進む。表示１の処理の詳細については後述する。ステップＳ７において、演算回路１０１はレリーズボタン１１が半押し操作されたか否かを判定する。演算回路１０１は、半押しスイッチＳＷ１からオン信号が入力された場合にステップＳ７を肯定判定してステップＳ８へ進み、半押しスイッチＳＷ１からオン信号が入力されない場合にはステップＳ７を否定判定してステップＳ２へ戻る。
【００３６】
ステップＳ８において、演算回路１０１は表示装置１０９に対する表示２の処理を行ってステップＳ９へ進む。表示２の処理の詳細については後述する。ステップＳ９において、演算回路１０１は残コマ数Ｎが１未満かを判定する。演算回路１０１は、Ｎ＜１の場合にステップＳ９を肯定判定してステップＳ２へ戻る。演算回路１０１は、Ｎ＜１が成立しない場合にはステップＳ９を否定判定してステップＳ１０へ進む。
【００３７】
ステップＳ１０において、演算回路１０１はレリーズ操作されたか否かを判定する。演算回路１０１は、全押しスイッチＳＷ２からオン信号が入力された場合にステップＳ１０を肯定判定してステップＳ１１へ進み、全押しスイッチＳＷ２からオン信号が入力されない場合にはステップＳ１０を否定判定してステップＳ１２へ進む。
【００３８】
ステップＳ１１において、演算回路１０１は撮像シーケンス処理を行ってステップＳ２へ戻る。撮像シーケンス処理の詳細については後述する。これにより、一連の撮影処理が終了する。
【００３９】
ステップＳ１０を否定判定して進むステップＳ１２において、演算回路１０１は半押し操作が継続されているか否かを判定する。演算回路１０１は、半押しスイッチＳＷ１からオン信号が入力されている場合にステップＳ１２を肯定判定してステップＳ８へ戻る。演算回路１０１は、半押しスイッチＳＷ１からオン信号が入力されない場合にはステップＳ１２を否定判定してステップＳ２へ戻る。
【００４０】
＜設定処理＞
設定処理の詳細について、図５〜図１３のフローチャートを参照して説明する。図５のステップＳ７１において、演算回路１０１は感度自動制御モード設定ボタン１８（図１）が押下されているか否かを判定する。演算回路１０１は、感度自動制御スイッチＳＷ７からオン信号が入力されている場合にステップＳ７１を肯定判定してステップＳ７２へ進み、感度自動制御スイッチＳＷ７からオン信号が入力されていない場合にはステップＳ７１を否定判定し、図６のステップＳ９１へ進む。
【００４１】
ステップＳ７２において、演算回路１０１は、カスタムセッティングフラグＣＳ＝１か否かを判定する。演算回路１０１は、ＣＳ＝１（感度簡易設定の機能をセット）の場合にステップＳ７２を肯定判定してステップＳ８１へ進み、ＣＳ＝０（感度簡易設定の機能を解除）の場合にステップＳ７２を否定判定してステップＳ７３へ進む。
【００４２】
ステップＳ７３において、演算回路１０１はメインコマンドダイヤル１２が回転操作されたか否かを判定する。演算回路１０１は、メインコマンドダイヤルスイッチＳＷ８およびＳＷ９から操作信号が入力された場合にステップＳ７３を肯定判定してステップＳ７４へ進み、操作信号が入力されない場合にはステップＳ７３を否定判定し、ステップＳ７７へ進む。
【００４３】
ステップＳ７４において、演算回路１０１は、感度自動制御モード設定フラグＩ＝１か否かを判定する。演算回路１０１は、Ｉ＝１（感度自動制御モードに設定）の場合にステップＳ７４を肯定判定してステップＳ７５へ進み、Ｉ≠１（感度自動制御モードが解除）の場合にステップＳ７４を否定判定してステップＳ７６へ進む。
【００４４】
ステップＳ７５において、演算回路１０１は、感度自動制御モード設定フラグＩを０にセット（感度自動制御モードを解除）してステップＳ７７へ進む。ステップＳ７６において、演算回路１０１は、感度自動制御モード設定フラグＩを１にセット（感度自動制御モードに設定）してステップＳ７７へ進む。
【００４５】
ステップＳ７７において、演算回路１０１は、感度自動制御モード設定フラグＩ＝１か否かを判定する。演算回路１０１は、Ｉ＝１（感度自動制御モードに設定）の場合にステップＳ７７を肯定判定してステップＳ７８へ進み、Ｉ≠１（感度自動制御モードが解除）の場合にステップＳ７７を否定判定してステップＳ７９へ進む。
【００４６】
ステップＳ７８において、演算回路１０１は表示装置１０９へ指示を送り、セグメント２９による「ＩＳＯ」、セグメント３０による「ＡＵＴＯ」、およびセグメント群２８による「１」をそれぞれ点灯表示させてステップＳ８０へ進む。図２３は、この場合の表示器２１を例示する図である。ステップＳ７９において、演算回路１０１は表示装置１０９へ指示を送り、セグメント２９による「ＩＳＯ」、セグメント３０による「ＡＵＴＯ」、およびセグメント群２８による「０」をそれぞれ点灯表示させてステップＳ８０へ進む。図２２は、この場合の表示器２１を例示する図である。
【００４７】
ステップＳ８０において、演算回路１０１は感度自動制御モード設定ボタン１８（図１）が押下されているか否かを判定する。演算回路１０１は、感度自動制御スイッチＳＷ７からオン信号が入力されている場合にステップＳ８０を肯定判定してステップＳ７２へ戻り、感度自動制御スイッチＳＷ７からオン信号が入力されていない場合にはステップＳ８０を否定判定し、図５の処理を終了して図４のステップＳ３へ進む。
【００４８】
ステップＳ７２を肯定判定して進むステップＳ８１において、演算回路１０１は、感度自動制御モード設定ボタン１８（図１）が押下されているか否かを判定する。演算回路１０１は、感度自動制御スイッチＳＷ７からオン信号が入力されている場合にステップＳ８１を肯定判定して当該判定を繰り返す。これにより、ＣＳ＝１（感度簡易設定の機能をセット）の状態では、メインコマンドダイヤル１２が回転操作されたとしても感度自動制御モードのセットを行わないように制御される。一方、演算回路１０１は、感度自動制御スイッチＳＷ７からオン信号が入力されていない場合にはステップＳ８１を否定判定し、図５の処理を終了して図４のステップＳ３へ進む。
【００４９】
ステップＳ７１を否定判定して進む図６のステップＳ９１において、演算回路１０１はは、カスタムセッティングボタン１７（図１）が押下されているか否かを判定する。演算回路１０１は、カスタムスイッチＳＷ６からオン信号が入力されている場合にステップＳ９１を肯定判定してステップＳ９２へ進み、カスタムスイッチＳＷ６からオン信号が入力されていない場合にはステップＳ９１を否定判定し、図７のステップＳ１１１へ進む。
【００５０】
ステップＳ９２において、演算回路１０１は、感度自動制御モード設定フラグＩ＝１か否かを判定する。演算回路１０１は、Ｉ＝１（感度自動制御モードにセット）の場合にステップＳ９２を肯定判定してステップＳ１０１へ進み、Ｉ＝０（感度自動制御モードを解除）の場合にステップＳ９２を否定判定してステップＳ９３へ進む。
【００５１】
ステップＳ９３において、演算回路１０１はメインコマンドダイヤル１２が回転操作されたか否かを判定する。演算回路１０１は、メインコマンドダイヤルスイッチＳＷ８およびＳＷ９から操作信号が入力された場合にステップＳ９３を肯定判定してステップＳ９４へ進み、操作信号が入力されない場合にはステップＳ９３を否定判定し、ステップＳ９７へ進む。
【００５２】
ステップＳ９４において、演算回路１０１は、カスタムセッティングフラグＣＳ＝１か否かを判定する。演算回路１０１は、ＣＳ＝１（感度簡易設定の機能をセット）の場合にステップＳ９４を肯定判定してステップＳ９５へ進み、ＣＳ＝０（感度簡易設定の機能を解除）の場合にステップＳ９４を否定判定してステップＳ９６へ進む。
【００５３】
ステップＳ９５において、演算回路１０１は、カスタムセッティングフラグＣＳを０にセット（感度簡易設定の機能を解除）してステップＳ９７へ進む。ステップＳ９６において、演算回路１０１は、カスタムセッティングフラグＣＳを１にセット（感度簡易設定の機能をセット）してステップＳ９７へ進む。
【００５４】
ステップＳ９７において、演算回路１０１は、カスタムセッティングフラグＣＳ＝１か否かを判定する。演算回路１０１は、ＣＳ＝１（感度簡易設定の機能をセット）の場合にステップＳ９７を肯定判定してステップＳ９８へ進み、ＣＳ＝０（感度簡易設定の機能を解除）の場合にステップＳ９７を否定判定してステップＳ９９へ進む。
【００５５】
ステップＳ９８において、演算回路１０１は表示装置１０９へ指示を送り、セグメント２５による「ＣＳＭ」、およびセグメント群２３による「１」をそれぞれ点灯表示させてステップＳ１００へ進む。図２１は、この場合の表示器２１を例示する図である。ステップＳ９９において、演算回路１０１は表示装置１０９へ指示を送り、セグメント２５による「ＣＳＭ」、およびセグメント群２３による「０」をそれぞれ点灯表示させてステップＳ１００へ進む。図２０は、この場合の表示器２１を例示する図である。
【００５６】
ステップＳ１００において、演算回路１０１はカスタムセッティングボタン１７（図１）が押下されているか否かを判定する。演算回路１０１は、カスタムスイッチＳＷ６からオン信号が入力されている場合にステップＳ１００を肯定判定してステップＳ９２へ戻り、カスタムスイッチＳＷ６からオン信号が入力されていない場合にはステップＳ１００を否定判定し、図６の処理を終了して図４のステップＳ３へ進む。
【００５７】
ステップＳ９２を肯定判定して進むステップＳ１０１において、演算回路１０１は、カスタムセッティングボタン１７（図１）が押下されているか否かを判定する。演算回路１０１は、カスタムスイッチＳＷ６からオン信号が入力されている場合にステップＳ１０１を肯定判定して当該判定を繰り返す。これにより、Ｉ＝１（感度自動制御モードにセット）の状態では、メインコマンドダイヤル１２が回転操作されたとしても、感度簡易設定の機能のセットを行わないように制御される。一方、演算回路１０１は、カスタムスイッチＳＷ６からオン信号が入力されていない場合にはステップＳ１０１を否定判定し、図６の処理を終了して図４のステップＳ３へ進む。
【００５８】
ステップＳ９１を否定判定して進む図７のステップＳ１１１において、演算回路１０１は、感度ボタン１４（図１）が押下されているか否かを判定する。演算回路１０１は、感度スイッチＳＷ４からオン信号が入力されている場合にステップＳ１１１を肯定判定してステップＳ１１２へ進み、感度スイッチＳＷ４からオン信号が入力されていない場合にはステップＳ１１１を否定判定し、図８のステップＳ１２１へ進む。
【００５９】
ステップＳ１１２において、演算回路１０１はメインコマンドダイヤル１２が反時計回転操作されたか否かを判定する。演算回路１０１は、メインコマンドダイヤルスイッチＳＷ８およびＳＷ９から反時計回転を示す操作信号が入力された場合にステップＳ１１２を肯定判定してステップＳ１１３へ進み、反時計回転を示す操作信号が入力されない場合にはステップＳ１１２を否定判定し、ステップＳ１１５へ進む。
【００６０】
ステップＳ１１３において、演算回路１０１はＳＶｓ＝９（ＩＳＯ１６００）か否かを判定する。演算回路１０１は、ＳＶｓ＝９の場合にステップＳ１１３を肯定判定してステップＳ１１８へ進み、ＳＶｓ≠９の場合にはステップＳ１１３を否定判定してステップＳ１１４へ進む。ステップＳ１１４において、演算回路１０１は、設定感度ＳＶｓに１を加算（設定感度を１段分高感度にする）してステップＳ１１８へ進む。
【００６１】
ステップＳ１１２を否定判定して進むステップＳ１１５において、演算回路１０１はメインコマンドダイヤル１２が時計回転操作されたか否かを判定する。演算回路１０１は、メインコマンドダイヤルスイッチＳＷ８およびＳＷ９から時計回転を示す操作信号が入力された場合にステップＳ１１５を肯定判定してステップＳ１１６へ進み、時計回転を示す操作信号が入力されない場合にはステップＳ１１５を否定判定し、ステップＳ１１８へ進む。
【００６２】
ステップＳ１１６において、演算回路１０１はＳＶｓ＝５（ＩＳＯ１００）か否かを判定する。演算回路１０１は、ＳＶｓ＝５の場合にステップＳ１１６を肯定判定してステップＳ１１８へ進み、ＳＶｓ≠５の場合にはステップＳ１１６を否定判定してステップＳ１１７へ進む。ステップＳ１１７において、演算回路１０１は、設定感度ＳＶｓから１を減算（設定感度を１段分低感度にする）してステップＳ１１８へ進む。
【００６３】
ステップＳ１１８において、演算回路１０１は表示装置１０９へ指示を送り、セグメント２９の「ＩＳＯ」と、感度値を示すセグメント群２８、セグメント３１とを、それぞれ点灯表示させてステップＳ１１９へ進む。図２４は、「ＩＳＯ１６００」を表示する表示器２１を例示する図である。
【００６４】
ステップＳ１１９において、演算回路１０１は、感度ボタン１４（図１）が押下されているか否かを判定する。演算回路１０１は、感度スイッチＳＷ４からオン信号が入力されている場合にステップＳ１１９を肯定判定してステップＳ１１２へ戻り、感度スイッチＳＷ４からオン信号が入力されていない場合にはステップＳ１１９を否定判定し、図７による処理を終了して図４のステップＳ３へ進む。
【００６５】
ステップＳ１１１を否定判定して進む図８のステップＳ１２１において、演算回路１０１は、画質モードボタン１６（図１）が押下されているか否かを判定する。演算回路１０１は、画質スイッチＳＷ５からオン信号が入力されている場合にステップＳ１２１を肯定判定してステップＳ１２２へ進み、画質スイッチＳＷ５からオン信号が入力されていない場合にはステップＳ１２１を否定判定し、図９のステップＳ１５１へ進む。
【００６６】
ステップＳ１２２において、演算回路１０１はメインコマンドダイヤル１２が反時計回転操作されたか否かを判定する。演算回路１０１は、メインコマンドダイヤルスイッチＳＷ８およびＳＷ９から反時計回転を示す操作信号が入力された場合にステップＳ１２２を肯定判定してステップＳ１２３へ進み、反時計回転を示す操作信号が入力されない場合にはステップＳ１２２を否定判定し、ステップＳ１２６へ進む。
【００６７】
ステップＳ１２３において、演算回路１０１は記録画質パラメータＱ＝７（ＢＡＳＩＣ）か否かを判定する。演算回路１０１は、Ｑ＝７の場合にステップＳ１２３を肯定判定してステップＳ１２５へ進み、Ｑ≠７の場合にはステップＳ１２３を否定判定してステップＳ１２４へ進む。ステップＳ１２４において、演算回路１０１は、記録画質パラメータＱに１を加算（記録画質を変更する）してステップＳ１３９へ進む。ステップＳ１２５において、演算回路１０１は、記録画質パラメータＱに１をセット（記録画質モードを「ＲＡＷ＋ＦＩＮＥ」に変更する）してステップＳ１３９へ進む。
【００６８】
ステップＳ１２２を否定判定して進むステップＳ１２６において、演算回路１０１はメインコマンドダイヤル１２が時計回転操作されたか否かを判定する。演算回路１０１は、メインコマンドダイヤルスイッチＳＷ８およびＳＷ９から時計回転を示す操作信号が入力された場合にステップＳ１２６を肯定判定してステップＳ１２７へ進み、時計回転を示す操作信号が入力されない場合にはステップＳ１２６を否定判定し、ステップＳ１３０へ進む。
【００６９】
ステップＳ１２７において、演算回路１０１は記録画質パラメータＱ＝１（ＲＡＷ＋ＦＩＮＥ）か否かを判定する。演算回路１０１は、Ｑ＝１の場合にステップＳ１２７を肯定判定してステップＳ１２９へ進み、Ｑ≠１の場合にはステップＳ１２７を否定判定してステップＳ１２８へ進む。ステップＳ１２８において、演算回路１０１は、記録画質パラメータＱから１を減算（記録画質を変更する）してステップＳ１３９へ進む。ステップＳ１２９において、演算回路１０１は、記録画質パラメータＱに７をセット（記録画質モードを「ＢＡＳＩＣ」に変更する）してステップＳ１３９へ進む。
【００７０】
ステップＳ１２６を否定判定して進むステップＳ１３０において、演算回路１０１は記録画質パラメータＱ＝４（ＲＡＷ）か否かを判定する。演算回路１０１は、Ｑ＝４の場合にステップＳ１３０を肯定判定してステップＳ１３９へ進み、Ｑ≠４の場合にはステップＳ１３０を否定判定してステップＳ１３１へ進む。
【００７１】
ステップＳ１３１へ進む場合は、記録画素数に対する選択操作が許可される。ステップＳ１３１において、演算回路１０１はサブコマンドダイヤル１３が時計回転操作されたか否かを判定する。演算回路１０１は、サブコマンドダイヤルスイッチＳＷ１０およびＳＷ１１から時計回転を示す操作信号が入力された場合にステップＳ１３１を肯定判定してステップＳ１３２へ進み、時計回転を示す操作信号が入力されない場合にはステップＳ１３１を否定判定し、ステップＳ１３５へ進む。
【００７２】
ステップＳ１３２において、演算回路１０１は、記録画素数パラメータＳ＝３（Ｌサイズ）か否かを判定する。演算回路１０１は、Ｓ＝３の場合にステップＳ１３２を肯定判定してステップＳ１３４へ進み、Ｓ≠３の場合にはステップＳ１３２を否定判定してステップＳ１３３へ進む。ステップＳ１３３において、演算回路１０１は、記録画素数パラメータＳに１を加算（記録画素数を変更する）してステップＳ１３９へ進む。ステップＳ１３４において、演算回路１０１は、記録画素数パラメータＳに１をセット（記録画素数を「Ｓサイズ」に変更する）してステップＳ１３９へ進む。
【００７３】
ステップＳ１３１を否定判定して進むステップＳ１３５において、演算回路１０１はサブコマンドダイヤル１３が反時計回転操作されたか否かを判定する。演算回路１０１は、サブコマンドダイヤルスイッチＳＷ１０およびＳＷ１１から反時計回転を示す操作信号が入力された場合にステップＳ１３５を肯定判定してステップＳ１３６へ進み、反時計回転を示す操作信号が入力されない場合にはステップＳ１３５を否定判定し、ステップＳ１３９へ進む。
【００７４】
ステップＳ１３６において、演算回路１０１は、記録画素数パラメータＳ＝１（Ｓサイズ）か否かを判定する。演算回路１０１は、Ｓ＝１の場合にステップＳ１３６を肯定判定してステップＳ１３８へ進み、Ｓ≠１の場合にはステップＳ１３６を否定判定してステップＳ１３７へ進む。ステップＳ１３７において、演算回路１０１は、記録画素数パラメータＳから１を減算（記録画素数を変更する）してステップＳ１３９へ進む。ステップＳ１３８において、演算回路１０１は、記録画素数パラメータＳに３をセット（記録画素数を「Ｌサイズ」に変更する）してステップＳ１３９へ進む。
【００７５】
ステップＳ１３９において、演算回路１０１は、電子カメラ１に装着されている記録媒体１２６の残メモリ領域（記録が許可されている領域）と、設定されている記録画質、設定されている記録画素数とを用いて記録可能な残コマ数Ｎを算出してステップＳ１４０へ進む。
【００７６】
ステップＳ１４０において、演算回路１０１は表示装置１０９へ指示を送り、記録画質を示すセグメント群２７と、残コマ数Ｎの値を示すセグメント群２８および「［」、「］」とを、それぞれ点灯表示させてステップＳ１４１へ進む。
【００７７】
ステップＳ１４１において、演算回路１０１は記録画質パラメータＱ＝４（ＲＡＷ）か否かを判定する。演算回路１０１は、Ｑ＝４の場合にステップＳ１４１を肯定判定してステップＳ１４３へ進み、Ｑ≠４の場合にはステップＳ１４１を否定判定してステップＳ１４２へ進む。
【００７８】
ステップＳ１４２において、演算回路１０１は表示装置１０９へ指示を送り、記録画素数を示すセグメント群２６を点灯表示させてステップＳ１４３へ進む。図２５は、この場合の表示器２１を例示する図である。図２５において、「Ｍ」は記録画素数（Ｍサイズ）を、「ＲＡＷ＋ＦＩＮＥ」は記録画質を、「［６８］」は残コマ数Ｎの値を、それぞれ表す。
【００７９】
ステップＳ１４３において、演算回路１０１は、画質モードボタン１６（図１）が押下されているか否かを判定する。演算回路１０１は、画質スイッチＳＷ５からオン信号が入力されている場合にステップＳ１４３を肯定判定してステップＳ１２２へ戻り、画質スイッチＳＷ５からオン信号が入力されていない場合にはステップＳ１４３を否定判定し、図８による処理を終了して図４ステップＳ３へ進む。
【００８０】
ステップＳ１２１を否定判定して進む図９のステップＳ１５１において、演算回路１０１はモードボタン１５（図１）が押下操作されたか否かを判定する。演算回路１０１は、モードスイッチＳＷ３からオン信号が入力されるとステップＳ１５１を肯定判定してステップＳ１５２へ進み、モードスイッチＳＷ３からオン信号が入力されない場合にはステップＳ１５１を否定判定して図１０のステップＳ１７１へ進む。
【００８１】
ステップＳ１５２において、演算回路１０１はメインコマンドダイヤルが反時計回転操作されたか否かを判定する。演算回路１０１は、メインコマンドダイヤルスイッチＳＷ８およびＳＷ９から反時計回転を示す操作信号が入力された場合にステップＳ１５２を肯定判定してステップＳ１５３へ進み、反時計回転を示す操作信号が入力されない場合にはステップＳ１５２を否定判定し、ステップＳ１５６へ進む。
【００８２】
ステップＳ１５３において、演算回路１０１はモードパラメータＭ＝４か否かを判定する。演算回路１０１は、Ｍ＝４（Ｍモード）の場合にステップＳ１５３を肯定判定してステップＳ１５５へ進み、Ｍ≠４の場合にステップＳ１５３を否定判定してステップＳ１５４へ進む。
【００８３】
ステップＳ１５４において、演算回路１０１はモードパラメータＭに１を加算して（撮影モードを変更して）ステップＳ１６０へ進む。ステップＳ１５５において、演算回路１０１はモードパラメータＭを１にセット、すなわち撮影モードを「Ｐモード」に変更してステップＳ１６０へ進む。
【００８４】
ステップＳ１５２を否定判定して進むステップＳ１５６において、演算回路１０１はメインコマンドダイヤルが時計回転操作されたか否かを判定する。演算回路１０１は、メインコマンドダイヤルスイッチＳＷ８およびＳＷ９から時計回転を示す操作信号が入力された場合にステップＳ１５６を肯定判定してステップＳ１５７へ進み、時計回転を示す操作信号が入力されない場合にはステップＳ１５６を否定判定し、ステップＳ１６０へ進む。
【００８５】
ステップＳ１５７において、演算回路１０１はモードパラメータＭ＝１か否かを判定する。演算回路１０１は、Ｍ＝１（Ｐモード）の場合にステップＳ１５７を肯定判定してステップＳ１５９へ進み、Ｍ≠１の場合にステップＳ１５７を否定判定してステップＳ１５８へ進む。
【００８６】
ステップＳ１５８において、演算回路１０１はモードパラメータＭから１を減算して（撮影モードを変更して）ステップＳ１６０へ進む。ステップＳ１５９において、演算回路１０１はモードパラメータＭを４にセット、すなわち撮影モードを「Ｍモード」に変更してステップＳ１６０へ進む。
【００８７】
ステップＳ１６０において、演算回路１０１は表示装置１０９へ指示を送り、露出モードを示すセグメント群２４を点灯表示させてステップＳ１６１へ進む。図２６は、この場合の表示器２１を例示する図である。図２６において、「Ｐ」は露出モード（Ｐモード）を表す。
【００８８】
ステップＳ１６１において、演算回路１０１はモードボタン１５（図１）が押下操作されているか否かを判定する。演算回路１０１は、モードスイッチＳＷ３からオン信号が入力されているとステップＳ１６１を肯定判定してステップＳ１５２へ戻り、モードスイッチＳＷ３からオン信号が入力されていない場合にはステップＳ１６１を否定判定し、図９による処理を終了して図４のステップＳ３へ進む。
【００８９】
ステップＳ１５１を否定判定して進む図１０のステップＳ１７１において、演算回路１０１はモードパラメータＭ＝１か否かを判定する。演算回路１０１は、Ｍ＝１（Ｐモード）の場合にステップＳ１７１を肯定判定してステップＳ１７２へ進み、Ｍ≠１の場合にステップＳ１７１を否定判定して図１１のステップＳ１９１へ進む。
【００９０】
ステップＳ１７２において、演算回路１０１はメインコマンドダイヤル１２が回転操作されたか否かを判定する。演算回路１０１は、メインコマンドダイヤルスイッチＳＷ８およびＳＷ９から回転を示す操作信号が入力された場合にステップＳ１７２を肯定判定してステップＳ１７３へ進み、回転を示す操作信号が入力されない場合にはステップＳ１７２を否定判定し、ステップＳ１７４へ進む。
【００９１】
ステップＳ１７３において、演算回路１０１はメインコマンドダイヤルスイッチＳＷ８およびＳＷ９からの回転操作信号に応じてプログラムシフト処理（適正露出を維持しながらシャッタ速度と絞り値の組み合わせを変更する）を行って図１０による処理を終了し、図４のステップＳ３へ進む。
【００９２】
ステップＳ１７４において、演算回路１０１はカスタムセッティングフラグＣＳ＝１か否かを判定する。演算回路１０１は、ＣＳ＝１（感度簡易設定の機能をセット）の場合にステップＳ１７４を肯定判定してステップＳ１７５へ進む。演算回路１０１は、ＣＳ＝０（感度簡易設定の機能を解除）の場合にステップＳ１７４を否定判定し、図１０による処理を終了して図４のステップＳ３へ進む。
【００９３】
ステップＳ１７５において、演算回路１０１はサブコマンドダイヤル１３が時計回転操作されたか否かを判定する。演算回路１０１は、サブコマンドダイヤルスイッチＳＷ１０およびＳＷ１１から時計回転を示す操作信号が入力された場合にステップＳ１７５を肯定判定してステップＳ１７６へ進み、時計回転を示す操作信号が入力されない場合にはステップＳ１７５を否定判定し、ステップＳ１７９へ進む。
【００９４】
ステップＳ１７６において、演算回路１０１はＳＶｓ＝９（ＩＳＯ１６００）か否かを判定する。演算回路１０１は、ＳＶｓ＝９の場合にステップＳ１７６を肯定判定して図１０による処理を終了し、図４のステップＳ３へ進む。演算回路１０１は、ＳＶｓ≠９の場合にはステップＳ１７６を否定判定してステップＳ１７７へ進む。ステップＳ１７７において、演算回路１０１は、設定感度ＳＶｓに１を加算（設定感度を１段分高感度にする）して図１０による処理を終了し、図４のステップＳ３へ進む。
【００９５】
ステップＳ１７９において、演算回路１０１はサブコマンドダイヤル１３が反時計回転操作されたか否かを判定する。演算回路１０１は、サブコマンドダイヤルスイッチＳＷ１０およびＳＷ１１から反時計回転を示す操作信号が入力された場合にステップＳ１７９を肯定判定してステップＳ１８０へ進む。演算回路１０１は、反時計回転を示す操作信号が入力されない場合にはステップＳ１７９を否定判定し、図１０による処理を終了して図４のステップＳ３へ進む。
【００９６】
ステップＳ１８０において、演算回路１０１はＳＶｓ＝５（ＩＳＯ１００）か否かを判定する。演算回路１０１は、ＳＶｓ＝５の場合にステップＳ１８０を肯定判定し、図１０による処理を終了して図４のステップＳ３へ進む。演算回路１０１は、ＳＶｓ≠５の場合にはステップＳ１８０を否定判定してステップＳ１８１へ進む。ステップＳ１８１において、演算回路１０１は、設定感度ＳＶｓから１を減算（設定感度を１段分低感度にする）して図１０による処理を終了し、図４のステップＳ３へ進む。
【００９７】
ステップＳ１７１を否定判定して進む図１１のステップＳ１９１において、演算回路１０１はモードパラメータＭ＝２か否かを判定する。演算回路１０１は、Ｍ＝２（Ｓモード）の場合にステップＳ１９１を肯定判定してステップＳ１９２へ進み、Ｍ≠２の場合にステップＳ１９１を否定判定して図１２のステップＳ２０１へ進む。
【００９８】
ステップＳ１９２において、演算回路１０１はメインコマンドダイヤル１２が反時計回転操作されたか否かを判定する。演算回路１０１は、メインコマンドダイヤルスイッチＳＷ８およびＳＷ９から反時計回転を示す操作信号が入力された場合にステップＳ１９２を肯定判定してステップＳ１９３へ進み、反時計回転を示す操作信号が入力されない場合にはステップＳ１９２を否定判定し、ステップＳ１９５へ進む。
【００９９】
ステップＳ１９３において、演算回路１０１はＴＶｓ＝１２（１／４０００秒）か否かを判定する。演算回路１０１は、ＴＶｓ＝１２の場合にステップＳ１９３を肯定判定し、図１１による処理を終了して図４のステップＳ３へ進む。演算回路１０１は、ＴＶｓ≠１２の場合にはステップＳ１９３を否定判定してステップＳ１９４へ進む。ステップＳ１９４において、演算回路１０１は、設定シャッタ速度ＴＶｓに１を加算（設定シャッタ速度を１段分高速にする）して図１１による処理を終了し、図４のステップＳ３へ進む。
【０１００】
ステップＳ１９２を否定判定して進むステップＳ１９５において、演算回路１０１はメインコマンドダイヤル１２が時計回転操作されたか否かを判定する。演算回路１０１は、メインコマンドダイヤルスイッチＳＷ８およびＳＷ９から時計回転を示す操作信号が入力された場合にステップＳ１９５を肯定判定してステップＳ１９６へ進み、時計回転を示す操作信号が入力されない場合にはステップＳ１９５を否定判定し、ステップＳ１９８へ進む。
【０１０１】
ステップＳ１９６において、演算回路１０１はＴＶｓ＝０（１秒）か否かを判定する。演算回路１０１は、ＴＶｓ＝０の場合にステップＳ１９６を肯定判定し、図１１による処理を終了して図４のステップＳ３へ進む。演算回路１０１は、ＴＶｓ≠０の場合にはステップＳ１９６を否定判定してステップＳ１９７へ進む。ステップＳ１９７において、演算回路１０１は、設定シャッタ速度ＴＶｓから１を減算（設定シャッタ速度を１段分低速にする）して図１１による処理を終了し、図４のステップＳ３へ進む。
【０１０２】
ステップＳ１９８において、演算回路１０１はカスタムセッティングフラグＣＳ＝１か否かを判定する。演算回路１０１は、ＣＳ＝１（感度簡易設定の機能をセット）の場合にステップＳ１９８を肯定判定して図１０のステップＳ１７５へ進む。演算回路１０１は、ＣＳ＝０（感度簡易設定の機能を解除）の場合にステップＳ１９８を否定判定し、図１１による処理を終了して図４のステップＳ３へ進む。
【０１０３】
ステップＳ１９１を否定判定して進むステップＳ２０１において、演算回路１０１はモードパラメータＭ＝３か否かを判定する。演算回路１０１は、Ｍ＝３（Ａモード）の場合にステップＳ２０１を肯定判定してステップＳ２０２へ進み、Ｍ≠３の場合にステップＳ２０１を否定判定して図１３のステップＳ２２１へ進む。
【０１０４】
ステップＳ２０２において、演算回路１０１はサブコマンドダイヤル１３が時計回転操作されたか否かを判定する。演算回路１０１は、サブコマンドダイヤルスイッチＳＷ１０およびＳＷ１１から時計回転を示す操作信号が入力された場合にステップＳ２０２を肯定判定してステップＳ２０３へ進み、時計回転を示す操作信号が入力されない場合にはステップＳ２０２を否定判定し、ステップＳ２０５へ進む。
【０１０５】
ステップＳ２０３において、演算回路１０１はＡＶｓ＝９（Ｆ２２）か否かを判定する。演算回路１０１は、ＡＶｓ＝９の場合にステップＳ２０３を肯定判定し、図１２による処理を終了して図４のステップＳ３へ進む。演算回路１０１は、ＡＶｓ≠９の場合にはステップＳ２０３を否定判定してステップＳ２０４へ進む。ステップＳ２０４において、演算回路１０１は、設定絞り値ＡＶｓに１を加算（設定絞り値を１段分小絞りにする）して図１２による処理を終了し、図４のステップＳ３へ進む。
【０１０６】
ステップＳ２０２を否定判定して進むステップＳ２０５において、演算回路１０１はサブコマンドダイヤル１３が反時計回転操作されたか否かを判定する。演算回路１０１は、サブコマンドダイヤルスイッチＳＷ１０およびＳＷ１１から反時計回転を示す操作信号が入力された場合にステップＳ２０５を肯定判定してステップＳ２０６へ進む。演算回路１０１は、反時計回転を示す操作信号が入力されない場合にはステップＳ２０５を否定判定してステップＳ２０８へ進む。
【０１０７】
ステップＳ２０６において、演算回路１０１はＡＶｓ＝３（Ｆ２．８）か否かを判定する。演算回路１０１は、ＡＶｓ＝３の場合にステップＳ２０６を肯定判定し、図１２による処理を終了して図４のステップＳ３へ進む。演算回路１０１は、ＡＶｓ≠３の場合にはステップＳ２０６を否定判定してステップＳ２０７へ進む。ステップＳ２０７において、演算回路１０１は、設定絞り値ＡＶｓから１を減算（設定絞り値を１段分開放側にする）して図１２による処理を終了し、図４のステップＳ３へ進む。
【０１０８】
ステップＳ２０５を否定判定して進むステップＳ２０８において、演算回路１０１はカスタムセッティングフラグＣＳ＝１か否かを判定する。演算回路１０１は、ＣＳ＝１（感度簡易設定の機能をセット）の場合にステップＳ２０８を肯定判定してステップＳ２０９へ進む。演算回路１０１は、ＣＳ＝０（感度簡易設定の機能を解除）の場合にステップＳ２０８を否定判定し、図１２による処理を終了して図４のステップＳ３へ進む。
【０１０９】
ステップＳ２０９において、演算回路１０１はメインコマンドダイヤル１２が反時計回転操作されたか否かを判定する。演算回路１０１は、メインコマンドダイヤルスイッチＳＷ８およびＳＷ９から反時計回転を示す操作信号が入力された場合にステップＳ２０９を肯定判定してステップＳ２１０へ進み、反時計回転を示す操作信号が入力されない場合にはステップＳ２０９を否定判定し、ステップＳ２１２へ進む。
【０１１０】
ステップＳ２１０において、演算回路１０１はＳＶｓ＝９（ＩＳＯ１６００）か否かを判定する。演算回路１０１は、ＳＶｓ＝９の場合にステップＳ２１０を肯定判定し、図１２による処理を終了して図４のステップＳ３へ進む。演算回路１０１は、ＳＶｓ≠９の場合にはステップＳ２１０を否定判定してステップＳ２１１へ進む。ステップＳ２１１において、演算回路１０１は、設定感度ＳＶｓに１を加算（設定感度を１段分高感度にする）して図１２による処理を終了し、図４のステップＳ３へ進む。
【０１１１】
ステップＳ２０９を否定判定して進むステップＳ２１２において、演算回路１０１はメインコマンドダイヤル１２が時計回転操作されたか否かを判定する。演算回路１０１は、メインコマンドダイヤルスイッチＳＷ８およびＳＷ９から時計回転を示す操作信号が入力された場合にステップＳ２１２を肯定判定してステップＳ２１３へ進む。演算回路１０１は、時計回転を示す操作信号が入力されない場合にはステップＳ２１２を否定判定し、図１２による処理を終了して図４のステップＳ３へ進む。
【０１１２】
ステップＳ２１３において、演算回路１０１はＳＶｓ＝５（ＩＳＯ１００）か否かを判定する。演算回路１０１は、ＳＶｓ＝５の場合にステップＳ２１３を肯定判定し、図１２による処理を終了して図４のステップＳ３へ進む。演算回路１０１は、ＳＶｓ≠５の場合にはステップＳ２１３を否定判定してステップＳ２１４へ進む。ステップＳ２１４において、演算回路１０１は、設定感度ＳＶｓから１を減算（設定感度を１段分低感度にする）して図１２による処理を終了し、図４のステップＳ３へ進む。
【０１１３】
ステップＳ２０１を否定判定して進む図１３のステップＳ２２１において、演算回路１０１はメインコマンドダイヤル１２が反時計回転操作されたか否かを判定する。演算回路１０１は、メインコマンドダイヤルスイッチＳＷ８およびＳＷ９から反時計回転を示す操作信号が入力された場合にステップＳ２２１を肯定判定してステップＳ２２２へ進み、反時計回転を示す操作信号が入力されない場合にはステップＳ２２１を否定判定し、ステップＳ２２４へ進む。
【０１１４】
ステップＳ２２２において、演算回路１０１はＴＶｓ＝１２（１／４０００秒）か否かを判定する。演算回路１０１は、ＴＶｓ＝１２の場合にステップＳ２２２を肯定判定し、図１３による処理を終了して図４のステップＳ３へ進む。演算回路１０１は、ＴＶｓ≠１２の場合にはステップＳ２２２を否定判定してステップＳ２２３へ進む。ステップＳ２２３において、演算回路１０１は、設定シャッタ速度ＴＶｓに１を加算（設定シャッタ速度を１段分高速にする）して図１３による処理を終了し、図４のステップＳ３へ進む。
【０１１５】
ステップＳ２２１を否定判定して進むステップＳ２２４において、演算回路１０１はメインコマンドダイヤル１２が時計回転操作されたか否かを判定する。演算回路１０１は、メインコマンドダイヤルスイッチＳＷ８およびＳＷ９から時計回転を示す操作信号が入力された場合にステップＳ２２４を肯定判定してステップＳ２２５へ進み、時計回転を示す操作信号が入力されない場合にはステップＳ２２４を否定判定し、ステップＳ２２７へ進む。
【０１１６】
ステップＳ２２５において、演算回路１０１はＴＶｓ＝０（１秒）か否かを判定する。演算回路１０１は、ＴＶｓ＝０の場合にステップＳ２２５を肯定判定し、図１３による処理を終了して図４のステップＳ３へ進む。演算回路１０１は、ＴＶｓ≠０の場合にはステップＳ２２５を否定判定してステップＳ２２６へ進む。ステップＳ２２６において、演算回路１０１は、設定シャッタ速度ＴＶｓから１を減算（設定シャッタ速度を１段分低速にする）して図１３による処理を終了し、図４のステップＳ３へ進む。
【０１１７】
ステップＳ２２４を否定判定して進むステップＳ２２７において、演算回路１０１はサブコマンドダイヤル１３が時計回転操作されたか否かを判定する。演算回路１０１は、サブコマンドダイヤルスイッチＳＷ１０およびＳＷ１１から時計回転を示す操作信号が入力された場合にステップＳ２２７を肯定判定してステップＳ２２８へ進む。演算回路１０１は、時計回転を示す操作信号が入力されない場合にはステップＳ２２７を否定判定し、ステップＳ２３０へ進む。
【０１１８】
ステップＳ２２８において、演算回路１０１はＡＶｓ＝９（Ｆ２２）か否かを判定する。演算回路１０１は、ＡＶｓ＝９の場合にステップＳ２２８を肯定判定し、図１３による処理を終了して図４のステップＳ３へ進む。演算回路１０１は、ＡＶｓ≠９の場合にはステップＳ２２８を否定判定してステップＳ２２９へ進む。ステップＳ２２９において、演算回路１０１は、設定絞り値ＡＶｓに１を加算（設定絞り値を１段分小絞りにする）して図１３による処理を終了し、図４のステップＳ３へ進む。
【０１１９】
ステップＳ２２７を否定判定して進むステップＳ２３０において、演算回路１０１はサブコマンドダイヤル１３が反時計回転操作されたか否かを判定する。演算回路１０１は、サブコマンドダイヤルスイッチＳＷ１０およびＳＷ１１から反時計回転を示す操作信号が入力された場合にステップＳ２３０を肯定判定してステップＳ２３１へ進む。演算回路１０１は、反時計回転を示す操作信号が入力されない場合にはステップＳ２３０を否定判定し、図１３による処理を終了して図４のステップＳ３へ進む。
【０１２０】
ステップＳ２３１において、演算回路１０１はＡＶｓ＝３（Ｆ２．８）か否かを判定する。演算回路１０１は、ＡＶｓ＝３の場合にステップＳ２３１を肯定判定し、図１３による処理を終了して図４のステップＳ３へ進む。演算回路１０１は、ＡＶｓ≠３の場合にはステップＳ２３１を否定判定してステップＳ２３２へ進む。ステップＳ２３２において、演算回路１０１は、設定絞り値ＡＶｓから１を減算（設定絞り値を１段分開放側にする）して図１３による処理を終了し、図４のステップＳ３へ進む。
【０１２１】
＜露出演算処理＞
露出演算処理の詳細について、図１４〜図１６のフローチャートを参照して説明する。図１４のステップＳ２４１において、演算回路１０１はステップＳ３（図４）にて算出した被写体輝度ＢＶを用いて、ＥＶ←ＢＶ＋ＳＶｓを演算してステップＳ２４２へ進む。ここで、ＥＶは露出値である。設定感度ＳＶｓは、設定処理によって設定されている感度である。なお、ＥＶ、ＢＶ、ＳＶｓはそれぞれアペックス値を用いる。
【０１２２】
ステップＳ２４２において、演算回路１０１はモードパラメータＭ＝１か否かを判定する。演算回路１０１は、Ｍ＝１（Ｐモード）の場合にステップＳ２４２を肯定判定してステップＳ２４３へ進み、Ｍ≠１の場合にステップＳ２４２を否定判定して図１５のステップＳ２６１へ進む。
【０１２３】
ステップＳ２４３において、演算回路１０１は、ＡＶｃ←ＥＶ／２−１を演算してステップＳ２４４へ進む。ステップＳ２４４において、演算回路１０１は、制御絞り値ＡＶｃ＜３が成立する（Ｆ２．８より絞り口径大）か否かを判定する。演算回路１０１は、ＡＶｃ＜３が成立する場合にステップＳ２４４を肯定判定してステップＳ２４５へ進み、ＡＶｃ＜３が成立しない場合にはステップＳ２４４を否定判定し、ステップＳ２４６へ進む。ステップＳ２４５において、演算回路１０１は、制御絞り値ＡＶｃを３（Ｆ２．８（開放絞り））にセットしてステップＳ２４８へ進む。
【０１２４】
ステップＳ２４４を否定判定して進むステップＳ２４６において、演算回路１０１は、制御絞り値ＡＶｃ＞９が成立する（Ｆ２２より絞り口径小）か否かを判定する。演算回路１０１は、ＡＶｃ＞９が成立する場合にステップＳ２４６を肯定判定してステップＳ２４７へ進み、ＡＶｃ＞９が成立しない場合にはステップＳ２４６を否定判定し、ステップＳ２４８へ進む。ステップＳ２４７において、演算回路１０１は、制御絞り値ＡＶｃを９（Ｆ２２（最小口径絞り））にセットしてステップＳ２４８へ進む。
【０１２５】
ステップＳ２４８において、演算回路１０１は、制御絞りパルス数Ｐｃを絞り込み段数（ＡＶｃ−３）の関数ｆとして算出し、ステップＳ２４９へ進む。制御絞りパルス数Ｐｃは、制御絞り値ＡＶｃで絞りを係止するまでに絞り位置検出装置１０７から出力される検出パルス数である。絞り込み段数と絞りパルス数とは比例関係にあるが、絞り開放付近で出力される絞り検出パルス数が多くなるので、絞り込み段数（ＡＶｃ−３）の関数ｆとして算出する。
【０１２６】
ステップＳ２４９において、演算回路１０１は露出値ＥＶから制御絞り値ＡＶｃを減算した値を制御シャッタ速度ＴＶｃにセットしてステップＳ２５０へ進む。ＴＶｃはアペックス値を用いる。
【０１２７】
ステップＳ２５０において、演算回路１０１は、制御シャッタ速度ＴＶｃ＜０が成立する（１秒より低速秒時）か否かを判定する。演算回路１０１は、ＴＶｃ＜０が成立する場合にステップＳ２５０を肯定判定してステップＳ２５１へ進み、ＴＶｃ＜０が成立しない場合にはステップＳ２５０を否定判定し、ステップＳ２５２へ進む。ステップＳ２５１において、演算回路１０１は、制御シャッタ速度ＴＶｃを０（１秒）にセットしてステップＳ２５４へ進む。
【０１２８】
ステップＳ２５０を否定判定して進むステップＳ２５２において、演算回路１０１は、制御シャッタ速度ＴＶｃ＞１２が成立する（１／４０００秒より高速秒時）か否かを判定する。演算回路１０１は、ＴＶｃ＞１２が成立する場合にステップＳ２５２を肯定判定してステップＳ２５３へ進み、ＴＶｃ＞１２が成立しない場合にはステップＳ２５２を否定判定し、ステップＳ２５４へ進む。ステップＳ２５３において、演算回路１０１は、制御シャッタ速度ＴＶｃを１２（１／４０００秒）にセットしてステップＳ２５４へ進む。
【０１２９】
ステップＳ２５４において、演算回路１０１は、感度自動制御モード設定フラグＩ＝１か否かを判定する。演算回路１０１は、Ｉ＝１（感度自動制御モードに設定）の場合にステップＳ２５４を肯定判定して図１６のステップＳ２８１へ進み、Ｉ≠１（感度自動制御モードが解除）の場合にステップＳ２５４を否定判定してステップＳ２５５へ進む。
【０１３０】
ステップＳ２５５において、演算回路１０１は、制御感度ＳＶｃに設定感度ＳＶｓの値をセットしてステップＳ２５６へ進む。ステップＳ２５６において、演算回路１０１は、フラグＣに０をセットして図１４による処理を終了し、図４のステップＳ５へ進む。フラグＣは、感度自動制御モードにおいて設定感度ＳＶｓ≠制御感度ＳＶｃの場合に１、設定感度ＳＶｓ＝制御感度ＳＶｃの場合に０とするフラグである。
【０１３１】
ステップＳ２４２を否定判定して進む図１５のステップＳ２６１において、演算回路１０１はモードパラメータＭ＝２か否かを判定する。演算回路１０１は、Ｍ＝２（Ｓモード）の場合にステップＳ２４２を肯定判定してステップＳ２６２へ進み、Ｍ≠２の場合にステップＳ２６１を否定判定してステップＳ２６８へ進む。
【０１３２】
ステップＳ２６２において、演算回路１０１は露出値ＥＶから設定シャッタ速度ＴＶｓを減算した値を制御絞り値ＡＶｃにセットしてステップＳ２６３へ進む。ＡＶｃはアペックス値を用いる。
【０１３３】
ステップＳ２６３において、演算回路１０１は、制御絞り値ＡＶｃ＜３が成立する（Ｆ２．８より絞り口径大）か否かを判定する。演算回路１０１は、ＡＶｃ＜３が成立する場合にステップＳ２６３を肯定判定してステップＳ２６４へ進み、ＡＶｃ＜３が成立しない場合にはステップＳ２６３を否定判定し、ステップＳ２６５へ進む。ステップＳ２６４において、演算回路１０１は、制御絞り値ＡＶｃを３（Ｆ２．８）にセットしてステップＳ２６７へ進む。
【０１３４】
ステップＳ２６５において、演算回路１０１は、制御絞り値ＡＶｃ＞９が成立する（Ｆ２２より絞り口径小）か否かを判定する。演算回路１０１は、ＡＶｃ＞９が成立する場合にステップＳ２６５を肯定判定してステップＳ２６６へ進み、ＡＶｃ＞９が成立しない場合にはステップＳ２６５を否定判定し、ステップＳ２６７へ進む。ステップＳ２６６において、演算回路１０１は、制御絞り値ＡＶｃを９（Ｆ２２）にセットしてステップＳ２６７へ進む。
【０１３５】
ステップＳ２６７において、演算回路１０１は、制御シャッタ速度ＴＶｃに設定シャッタ速度ＴＶｓの値をセットしてステップＳ２７７へ進む。
【０１３６】
ステップＳ２６１を否定判定して進むステップＳ２６８において、演算回路１０１はモードパラメータＭ＝３か否かを判定する。演算回路１０１は、Ｍ＝３（Ａモード）の場合にステップＳ２６８を肯定判定してステップＳ２６９へ進み、Ｍ≠３の場合にステップＳ２６８を否定判定してステップＳ２７５へ進む。
【０１３７】
ステップＳ２６９において、演算回路１０１は露出値ＥＶから設定絞り値ＡＶｓを減算した値を制御シャッタ速度ＴＶｃにセットしてステップＳ２７０へ進む。ＴＶｃはアペックス値を用いる。
【０１３８】
ステップＳ２７０において、演算回路１０１は、制御シャッタ速度ＴＶｃ＜０が成立する（１秒より低速秒時）か否かを判定する。演算回路１０１は、ＴＶｃ＜０が成立する場合にステップＳ２７０を肯定判定してステップＳ２７１へ進み、ＴＶｃ＜０が成立しない場合にはステップＳ２７０を否定判定し、ステップＳ２７２へ進む。ステップＳ２７１において、演算回路１０１は、制御シャッタ速度ＴＶｃを０（１秒）にセットしてステップＳ２７４へ進む。
【０１３９】
ステップＳ２７２において、演算回路１０１は、制御シャッタ速度ＴＶｃ＞１２が成立する（１／４０００秒より高速秒時）か否かを判定する。演算回路１０１は、ＴＶｃ＞１２が成立する場合にステップＳ２７２を肯定判定してステップＳ２７３へ進み、ＴＶｃ＞１２が成立しない場合にはステップＳ２７２を否定判定し、ステップＳ２７４へ進む。ステップＳ２７３において、演算回路１０１は、制御シャッタ速度ＴＶｃを１２（１／４０００秒）にセットしてステップＳ２７４へ進む。
【０１４０】
ステップＳ２７４において、演算回路１０１は、制御絞り値ＡＶｃに設定絞り値ＡＶｓの値をセットしてステップＳ２７７へ進む。
【０１４１】
ステップＳ２６８を否定判定して進むステップＳ２７５において、演算回路１０１は、制御シャッタ速度ＴＶｃに設定シャッタ速度ＴＶｓの値をセットしてステップＳ２７６へ進む。ステップＳ２７６において、演算回路１０１は、制御絞り値ＡＶｃに設定絞り値ＡＶｓの値をセットしてステップＳ２７７へ進む。
【０１４２】
ステップＳ２７７において、演算回路１０１は、制御絞りパルス数Ｐｃを絞り込み段数（ＡＶｃ−３）の関数ｆとして算出し、図１４のステップＳ２５４へ進む。
【０１４３】
図１４のステップＳ２５４を肯定判定して進む図１６のステップＳ２８１において、演算回路１０１は、次式（１）によって露出偏差ΔＥＶを演算してステップＳ２８２へ進む。
ΔＥＶ←ＡＶｃ＋ＴＶｃ−ＥＶ                  （１）
ただし、（ＡＶｃ＋ＴＶｃ）は制御露出であり、ＥＶは適正露出である。
【０１４４】
ステップＳ２８２において、演算回路１０１は、｜ΔＥＶ｜＜δが成立するか否かを判定する。δはあらかじめ定められている１／２以下の所定値であり、ここでは１／６とする。演算回路１０１は、｜ΔＥＶ｜＜δが成立する場合にステップＳ２８２を肯定判定してステップＳ２８４へ進み、｜ΔＥＶ｜＜δが成立しない場合にはステップＳ２８２を否定判定してステップＳ２８３へ進む。ステップＳ２８４へ進む場合は制御露出が適正とみなせる場合であり、ステップＳ２８３へ進む場合は適正露出が得られない場合である。
【０１４５】
ステップＳ２８３において、演算回路１０１は、ＳＶｃ←ＳＶｓ＋ΔＥＶを演算してステップＳ２８５へ進む。これにより、適正露出が得られるように設定感度から変更された制御感度が得られる。
【０１４６】
ステップＳ２８５において、演算回路１０１は、ＳＶｃ＞９が成立するか否かを判定する。演算回路１０１は、ＳＶｃ＞９が成立する（制御感度がＩＳＯ１６００相当より高い）場合にステップＳ２８５を肯定判定してステップＳ２８６へ進み、ＳＶｃ＞９が成立しない場合にはステップＳ２８５を否定判定してステップＳ２８７へ進む。ＩＳＯ１６００は本実施形態の制御限界である。ステップＳ２８６において、演算回路１０１は、制御感度ＳＶｃに９をセットしてステップＳ２８９へ進む。これにより、制御感度が制御範囲の上限にセットされる。
【０１４７】
上述したステップＳ２８５を否定判定して進むステップＳ２８７において、演算回路１０１は、ＳＶｃ＜５が成立するか否かを判定する。演算回路１０１は、ＳＶｃ＜５が成立する（制御撮像感度がＩＳＯ１００相当より低い）場合にステップＳ２８７を肯定判定してステップＳ２８８へ進み、ＳＶｃ＜５が成立しない場合にはステップＳ２８７を否定判定してステップＳ２８９へ進む。ＩＳＯ１００は本実施形態の制御限界である。ステップＳ２８８において、演算回路１０１は、制御感度ＳＶｃに５をセットしてステップＳ２８９へ進む。これにより、制御感度が制御範囲の下限にセットされる。
【０１４８】
ステップＳ２８９において、演算回路１０１は、ＳＶｃ＝ＳＶｓが成立するか否かを判定する。演算回路１０１は、制御感度ＳＶｃ＝設定感度ＳＶｓが成立する場合にステップＳ２８９を肯定判定してステップＳ２９０へ進み、制御感度ＳＶｃ＝設定感度ＳＶｓが成立しない場合にはステップＳ２８９を否定判定してステップＳ２９１へ進む。ステップＳ２９０において、演算回路１０１は、フラグＣを０にセットして図１６による処理を終了し、図４のステップＳ５へ進む。ステップＳ２９１において、演算回路１０１は、フラグＣを１にセットして図１６による処理を終了し、図４のステップＳ５へ進む。
【０１４９】
＜表示１の処理＞
半押し操作前に行う表示１の処理の詳細について、図１７のフローチャートを参照して説明する。ステップＳ３０１において、演算回路１０１は、感度自動制御モード設定フラグＩ＝１か否かを判定する。演算回路１０１は、Ｉ＝１（感度自動制御モードに設定）の場合にステップＳ３０１を肯定判定してステップＳ３０２へ進み、Ｉ≠１（感度自動制御モードが解除）の場合にステップＳ３０１を否定判定してステップＳ３０６へ進む。
【０１５０】
ステップＳ３０２において、演算回路１０１は、フラグＣ＝１か否かを判定する。演算回路１０１は、Ｃ＝１（設定感度ＳＶｓ≠制御感度ＳＶｃ）の場合にステップＳ３０２を肯定判定してステップＳ３０３へ進み、Ｃ≠１（設定感度ＳＶｓ＝制御感度ＳＶｃ）の場合にステップＳ３０２を否定判定してステップＳ３０４へ進む。
【０１５１】
ステップＳ３０３において、演算回路１０１は、セグメント２９による「ＩＳＯ」およびセグメント３０による「ＡＵＴＯ」を、それぞれ点滅表示させてステップＳ３０５へ進む。ステップＳ３０４において、演算回路１０１は、セグメント２９による「ＩＳＯ」およびセグメント３０による「ＡＵＴＯ」を、それぞれ点灯表示させてステップＳ３０５へ進む。
【０１５２】
ステップＳ３０５において、演算回路１０１は表示装置１０９へ指示を送り、残コマ数Ｎを示すセグメント群２８および「［」、「］」を示すセグメントを、それぞれ点灯表示させてステップＳ３１０へ進む。
【０１５３】
ステップＳ３０１を否定判定して進むステップＳ３０６において、演算回路１０１は、カスタムセッティングフラグＣＳ＝１か否かを判定する。演算回路１０１は、ＣＳ＝１（感度簡易設定の機能をセット）の場合にステップＳ３０６を肯定判定してステップＳ３０７へ進み、ＣＳ＝０（感度簡易設定の機能を解除）の場合にステップＳ３０６を否定判定してステップＳ３０５へ進む。
【０１５４】
ステップＳ３０７において、演算回路１０１は表示装置１０９へ指示を送り、セグメント２５による「ＣＳＭ」を点灯表示させてステップＳ３０８へ進む。ステップＳ３０８において、演算回路１０１はモードパラメータＭ＝４か否かを判定する。演算回路１０１は、Ｍ＝４（Ｍモード）の場合にステップＳ３０８を肯定判定してステップＳ３０５へ進み、Ｍ≠４の場合にステップＳ３０８を否定判定してステップＳ３０９へ進む。
【０１５５】
ステップＳ３０９において、演算回路１０１は表示装置１０９へ指示を送り、セグメント２９による「ＩＳＯ」と、設定感度値を示すセグメント群２８、セグメント３１とを、それぞれ点灯表示させてステップＳ３１０へ進む。
【０１５６】
ステップＳ３１０において、演算回路１０１は表示装置１０９へ指示を送り、制御シャッタ速度ＴＶｃの値を示すセグメント群２２と、制御絞り値ＡＶｃの値を示すセグメント群２３と、露出モードを示すセグメント群２４と、記録画素数（画像サイズ）を示すセグメント群２６と、記録画質（画質モード）を示すセグメント群２７とを、それぞれ点灯表示させて図１７による処理を終了し、図４のステップＳ７へ進む。
【０１５７】
図２８は、感度自動制御モードが解除され、感度簡易設定の機能も解除されている場合の表示器２１を例示する図である。図２９は、感度自動制御モードが設定され、感度簡易設定の機能が解除されている場合の表示器２１を例示する図である。図２７は、感度自動制御モードが解除され、感度簡易設定の機能がセットされ、露出モードがＭモード以外（本例ではＰモード）の場合の表示器２１を例示する図である。図３０は、感度自動制御モードが解除され、感度簡易設定の機能がセットされ、露出モードがＭモードの場合の表示器２１を例示する図である。
【０１５８】
＜表示２の処理＞
半押し操作後に行う表示２の処理の詳細について、図１８のフローチャートを参照して説明する。ステップＳ３１１において、演算回路１０１はあらかじめプログラムされている関数ｇ（Ｓ，Ｑ）を用いて連続撮影可能コマ数ＮＳを算出し、ステップＳ３１２へ進む。Ｓは記録画素数パラメータであり、Ｑは記録画質パラメータである。
【０１５９】
ステップＳ３１２において、演算回路１０１は残コマ数Ｎと連続撮影可能コマ数ＮＳとを比較する。演算回路１０１は、Ｎ＜ＮＳが成立する場合にステップＳ３１２を肯定判定してステップＳ３１３へ進み、Ｎ＜ＮＳが成立しない場合にはステップＳ３１２を否定判定してステップＳ３１４へ進む。
【０１６０】
ステップＳ３１３において、演算回路１０１は表示装置１０９へ指示を送り、残コマ数Ｎの値を示すセグメント群２８（右２桁分）を点灯表示させてステップＳ３１５へ進む。ステップＳ３１４において、演算回路１０１は表示装置１０９へ指示を送り、連続撮影可能コマ数ＮＳの値を示すセグメント群２８（右２桁分）を点灯表示させてステップＳ３１５へ進む。
【０１６１】
ステップＳ３１５において、演算回路１０１は、感度自動制御モード設定フラグＩ＝１か否かを判定する。演算回路１０１は、Ｉ＝１（感度自動制御モードに設定）の場合にステップＳ３１５を肯定判定してステップＳ３１６へ進み、Ｉ≠１（感度自動制御モードが解除）の場合にステップＳ３１５を否定判定してステップＳ３１９へ進む。
【０１６２】
ステップＳ３１６において、演算回路１０１はフラグＣ＝１か否かを判定する。演算回路１０１は、Ｃ＝１（設定感度ＳＶｓ≠制御感度ＳＶｃ）の場合にステップＳ３１６を肯定判定してステップＳ３１７へ進み、Ｃ≠１（設定感度ＳＶｓ＝制御感度ＳＶｃ）の場合にステップＳ３１６を否定判定してステップＳ３１８へ進む。
【０１６３】
ステップＳ３１７において、演算回路１０１は、セグメント２９による「ＩＳＯ」およびセグメント３０による「ＡＵＴＯ」を、それぞれ点滅表示させてステップＳ３２１へ進む。ステップＳ３１８において、演算回路１０１は、セグメント２９による「ＩＳＯ」およびセグメント３０による「ＡＵＴＯ」を、それぞれ点灯表示させてステップＳ３２１へ進む。
【０１６４】
ステップＳ３１５を否定判定して進むステップＳ３１９において、演算回路１０１は、カスタムセッティングフラグＣＳ＝１か否かを判定する。演算回路１０１は、ＣＳ＝１（感度簡易設定の機能をセット）の場合にステップＳ３１９を肯定判定してステップＳ３２０へ進み、ＣＳ＝０（感度簡易設定の機能を解除）の場合にステップＳ３１９を否定判定してステップＳ３２１へ進む。
【０１６５】
ステップＳ３２０において、演算回路１０１は表示装置１０９へ指示を送り、セグメント２５による「ＣＳＭ」を点灯表示させてステップＳ３２１へ進む。
【０１６６】
ステップＳ３２１において、演算回路１０１は表示装置１０９へ指示を送り、制御シャッタ速度ＴＶｃの値を示すセグメント群２２と、制御絞り値ＡＶｃの値を示すセグメント群２３と、露出モードを示すセグメント群２４と、記録画素数（画像サイズ）を示すセグメント群２６と、記録画質（画質モード）を示すセグメント群２７と、セグメント群２８のうち「［」、「］」を示すセグメントと、セグメント群２８（左１桁分）に「┏」を示すセグメントとを、それぞれ点灯表示させて図１８による処理を終了し、図４のステップＳ９へ進む。
【０１６７】
図３１は、感度自動制御モードが解除され、感度簡易設定の機能がセットされ、露出モードがＭモード以外（本例ではＰモード）で、Ｎ＜ＮＳが成立しない場合の表示器２１を例示する図である。図３２は、感度自動制御モードが解除され、感度簡易設定の機能がセットされ、露出モードがＭモード以外（本例ではＰモード）で、Ｎ＜ＮＳが成立する場合の表示器２１を例示する図である。
【０１６８】
図３３は、感度自動制御モードが解除され、感度簡易設定の機能も解除され、露出モードがＭモード以外（本例ではＰモード）で、Ｎ＜ＮＳが成立しない場合の表示器２１を例示する図である。図３４は、感度自動制御モードが設定され、感度簡易設定の機能が解除され、露出モードがＭモード以外（本例ではＰモード）で、Ｎ＜ＮＳが成立しない場合の表示器２１を例示する図である。
【０１６９】
＜撮像シーケンス処理＞
撮像シーケンス処理の詳細について、図１９のフローチャートを参照して説明する。図１９のステップＳ３３１において、演算回路１０１はシャッタ駆動回路１０５へ指示を出力し、シャッタ１０６の不図示のマグネットに通電して先幕および後幕を保持させる。ステップＳ３３２において、演算回路１０１はモータ駆動回路１０３へ指示を出力し、シーケンスモータ１０４に正転を開始させてステップＳ３３３へ進む。これにより、不図示のミラーのミラーアップおよび絞りの絞り込みが開始される。
【０１７０】
ステップＳ３３３において、演算回路１０１は、絞り位置検出装置１０７から入力される信号から絞りパルス数Ｐｋを検出してステップＳ３３４へ進む。ステップＳ３３４において、演算回路１０１は、検出絞りパルス数Ｐｋおよび制御絞りパルス数Ｐｃとの間にＰｋ≧Ｐｃが成立するか否かを判定する。演算回路１０１は、Ｐｋ≧Ｐｃが成立する場合にステップＳ３３４を肯定判定してステップＳ３３５へ進み、Ｐｋ≧Ｐｃが成立しない場合にはステップＳ３３４を否定判定する。否定判定する場合には、絞り込みを継続するようにステップＳ３３３へ戻る。
【０１７１】
ステップＳ３３５において、演算回路１０１は絞り係止装置１０８へ指示を出力し、絞りを係止させてステップＳ３３６へ進む。ステップＳ３３６において、演算回路１０１は、ミラーアップが完了したか否かを判定する。演算回路１０１は、シーケンススイッチＳＷ１２からオン信号が入力されるとステップＳ３３６を肯定判定してステップＳ３３７へ進み、シーケンススイッチＳＷ１２からオン信号が入力されない場合にはステップＳ３３６を否定判定する。否定判定する場合には、ミラーアップを継続するように判定処理を繰り返す。
【０１７２】
ステップＳ３３７において、演算回路１０１はモータ駆動回路１０３へ指示を出力し、シーケンスモータ１０４を停止させてステップＳ３３８へ進む。なお、ミラーアップの終了より先に絞り係止装置１０８によって絞りの係止が終了するように不図示のシーケンス駆動装置が構成されている。ステップＳ３３８において、演算回路１０１は、所定時間（少なくともミラーアップ時のバウンドが安定するまで）のウェイトを実施してステップＳ３３９へ進む。
【０１７３】
ステップＳ３３９において、演算回路１０１は、タイミング回路１２４に駆動信号の発生を開始させて撮像素子１２１の駆動を開始し、ステップＳ３４０へ進む。これにより、撮像素子１２１が電荷蓄積を開始する。
【０１７４】
ステップＳ３４０において、演算回路１０１はシャッタ駆動回路１０５へ指示を出力し、シャッタ１０６の不図示のマグネットへの通電を解除して先幕保持を解除させ、ステップＳ３４２へ進む。これによってシャッタ先幕の走行が開始され、撮像素子１２１の撮像面に到達した被写体光の強さに応じて撮像素子１２１が電荷を蓄積する。ステップＳ３４２において、演算回路１０１は、制御シャッタ速度ＴＶｃに相当する時間（＝２−ＴＶｃ）が経過後に後幕保持を解除させる。具体的には、シャッタ駆動回路１０５へ指示を出力し、シャッタ１０６の不図示のマグネットへの通電を解除させ、ステップＳ３４３へ進む。これによってシャッタ後幕の走行が開始され、撮像素子１２１への被写体光が遮断される。
【０１７５】
ステップＳ３４３において、演算回路１０１は、シャッタ後幕走行完了ウエイトを実施してステップＳ３４４へ進む。ウェイト時間は、後幕が撮像素子１２１の撮像領域を完全に遮光し、走行完了するまでに要する時間である。ステップＳ３４４において、演算回路１０１は、撮像素子１２１の電荷蓄積を終了させてステップＳ３４５へ進む。ステップＳ３４５において、演算回路１０１はモータ駆動回路１０３へ指示を出力し、シーケンスモータ１０４に逆転を開始させてステップＳ３４６へ進む。これにより、不図示のミラーのミラーダウンおよび絞りの開放復帰が開始される。ステップＳ３４６において、演算回路１０１はタイミング回路１２４へ指示を出力し、撮像素子１２１から蓄積電荷の読み出しを行わせてステップＳ３４７へ進む。
【０１７６】
ステップＳ３４７において、演算回路１０１はＡＳＩＣ１２３に画像処理を行わせ、ステップＳ３４８へ進む。ステップＳ３４８において、演算回路１０１はＡＳＩＣ１２３に画像圧縮処理を行わせ、ステップＳ３４９へ進む。ステップＳ３４９において、演算回路１０１は、画像圧縮後にバッファメモリ１２５に格納されている画像データを記録媒体１２６に記録してステップＳ３５０へ進む。
【０１７７】
ステップＳ３５０において、演算回路１０１はミラーダウンが完了したか否かを判定する。演算回路１０１は、シーケンススイッチＳＷ１２からオン信号が入力されるとステップＳ３５０を肯定判定してステップＳ３５１へ進み、シーケンススイッチＳＷ１２からオン信号が入力されない場合はステップＳ３５０を否定判定し、ミラーダウンを継続するように判定処理を繰り返す。
【０１７８】
ステップＳ３５１において、演算回路１０１はモータ駆動回路１０３へ指示を出力し、シーケンスモータ１０４を停止させて図１９による処理を終了し、図４のステップＳ２へ戻る。これにより、一連の撮影処理が終了する。
【０１７９】
以上説明した実施形態によれば、以下の作用効果が得られる。
（１）感度簡易設定機能をセットした状態で感度自動制御モードへの設定操作が行われても、感度自動制御モードへの設定を許可しないようにした（ステップＳ８１）。先に行われたセット内容を優先させることによって感度自動制御モードの設定と感度簡易設定の機能の同時設定／セットを回避するようにしたため、ユーザによる感度設定操作と、カメラによる感度値の自動制御とが同時に行われることを防止できる。
【０１８０】
（２）感度自動制御モードに設定している状態で感度簡易設定機能をセットする操作が行われても、感度簡易設定機能のセットを許可しないようにした（ステップＳ１０１）。先に行われた設定内容を優先させることによって感度自動制御モードの設定と感度簡易設定の機能の同時設定／セットを回避するようにしたため、ユーザによる感度設定操作と、カメラによる感度値の自動制御とが同時に行われることを防止できる。
【０１８１】
（３）Ｐモードかつ感度簡易設定の機能がセットされた場合、ユーザによる感度設定をサブコマンドダイヤル１３の回転操作で行えるように構成したので（ステップＳ１７５〜Ｓ１８１）、ボタン操作を行わずにダイヤル操作のみで感度設定が可能になる。
【０１８２】
（４）Ｓモードかつ感度簡易設定の機能がセットされた場合、ユーザによる感度設定をサブコマンドダイヤル１３の回転操作で行えるように構成したので（ステップＳ１７５〜Ｓ１８１）、ボタン操作を行わずにダイヤル操作のみで感度設定が可能になる。
【０１８３】
（５）Ａモードかつ感度簡易設定の機能がセットされた場合、ユーザによる感度設定をメインコマンドダイヤル１２の回転操作で行えるように構成したので（ステップＳ２０９〜Ｓ２１４）、ボタン操作を行わずにダイヤル操作のみで感度設定が可能になる。
【０１８４】
（６）上記（３）および（４）では通常使用しないサブコマンドダイヤル１３を感度設定操作用として、上記（５）では、通常使用しないメインコマンドダイヤル１２を感度設定操作用として扱うので、感度設定用に新たなダイヤルを設けなくてもよい。
【０１８５】
（７）レリーズボタン１１が半押し操作される前において、上記（３）、（４）、（５）の場合に、通常は残コマ数Ｎ（または連続撮影可能コマ数ＮＳ）を表示するセグメント群２８およびセグメント３１で感度表示を行うようにしたので、感度表示専用の表示セグメントを設けなくても、ダイヤル操作で設定中の感度をユーザーに知らせることができる。
【０１８６】
（８）Ｍモードにおいては、メインコマンドダイヤル１２およびサブコマンドダイヤル１３がともに通常使用される。このため、感度簡易設定の機能がセットされてもダイヤル操作のみで感度設定を行わず、通常どおりセグメント群２８で残コマ数Ｎ（または連続撮影可能コマ数ＮＳ）の表示をさせる。表示器２１に感度表示しないことで、ダイヤル操作のみでは感度設定が行えないことをユーザーに知らせることができる。
【０１８７】
（９）レリーズボタン１１が半押し操作された後は、上記（３）、（４）、（５）の場合に感度表示に代えてセグメント群２８で残コマ数Ｎ（または連続撮影可能コマ数ＮＳ）の表示を行うようにしたので、ユーザに残コマ数Ｎ（または連続撮影可能コマ数ＮＳ）を知らせることができる。
【０１８８】
（１０）残コマ数Ｎが連続撮影可能コマ数ＮＳより大の場合はセグメント群２８で連続撮影可能コマ数ＮＳの表示を行うようにしたので（ステップＳ３１４）、ユーザに連続撮影可能コマ数ＮＳを知らせることができる。
【０１８９】
（変形例１）
図３５および図３６は、変形例における設定処理の詳細を説明するフローチャートである。図３５および図３６による処理は、それぞれ図５および図６による処理に代えて行われる。図３５は、図５と比べてステップＳ７２、Ｓ８１が省略される点、およびステップＳ１０００〜Ｓ１００３が追加される点が異なるので、これら相違点を中心に説明する。また、図３６は、図６と比べてステップＳ９２、Ｓ１０１が省略される点、およびステップＳ１０１０〜Ｓ１０１３が追加される点が異なるので、これら相違点を中心に説明する。
【０１９０】
図３５においてステップＳ７２が省略されたことにより、演算回路１０１は、感度自動制御モード設定ボタン１８（図１）が押下された場合に、ＣＳ＝１（感度簡易設定の機能をセット）か否かにかかわらず、メインコマンドダイヤル１２が回転操作されると感度自動制御モードのセットを行うように制御する。
【０１９１】
ステップＳ８０を否定判定して進むステップＳ１０００において、演算回路１０１は、感度自動制御モード設定フラグＩ＝１か否かを判定する。演算回路１０１は、Ｉ＝１（感度自動制御モードに設定）の場合にステップＳ１０００を肯定判定してステップＳ１００１へ進み、Ｉ≠１（感度自動制御モードが解除）の場合にステップＳ１０００を否定判定し、図３５の処理を終了して図４のステップＳ３へ進む。ステップＳ１００１において、演算回路１０１はカスタムセッティングフラグＣＳ＝１か否かを判定する。演算回路１０１は、ＣＳ＝１（感度簡易設定の機能をセット）の場合にステップＳ１００１を肯定判定してステップＳ１００２へ進む。演算回路１０１は、ＣＳ＝０（感度簡易設定の機能を解除）の場合にステップＳ１００１を否定判定し、図３５による処理を終了して図４のステップＳ３へ進む。
【０１９２】
ステップＳ１００２において、演算回路１０１は、カスタムセッティングフラグＣＳを０にセット（感度簡易設定の機能を解除）してステップＳ１００３へ進む。ステップＳ１００３において、演算回路１０１は表示装置１０９へ指示を送り、セグメント２５による「ＣＳＭ」を所定時間（たとえば３秒間）点滅表示させた上で消灯し、図３５による処理を終了して図４のステップＳ３へ進む。
【０１９３】
図３６においてステップＳ９２が省略されたことにより、演算回路１０１は、カスタムセッティングボタン１７（図１）が押下された場合に、Ｉ＝１（感度自動制御モードの設定）か否かにかかわらず、メインコマンドダイヤル１２が回転操作されると感度簡易設定機能のセットを行うように制御する。
【０１９４】
ステップＳ１００を否定判定して進むステップＳ１０１０において、演算回路１０１は、カスタムセッティングフラグＣＳ＝１か否かを判定する。演算回路１０１は、ＣＳ＝１（感度簡易設定の機能をセット）の場合にステップＳ１０１０を肯定判定してステップＳ１０１１へ進み、ＣＳ≠１（感度簡易設定の機能を解除）の場合にステップＳ１０１０を否定判定して図４のステップＳ３へ進む。ステップＳ１０１１において、演算回路１０１は感度自動制御モード設定フラグＩ＝１か否かを判定する。演算回路１０１は、Ｉ＝１（感度自動制御モードに設定）の場合にステップＳ１０１１を肯定判定してステップＳ１０１２へ進み、Ｉ≠１（感度自動制御モードが解除）の場合にステップＳ１０１１を否定判定し、図３６による処理を終了して図４のステップＳ３へ進む。
【０１９５】
ステップＳ１０１２において、演算回路１０１は、感度自動制御モード設定フラグＩを０にセット（感度自動制御モードを解除）してステップＳ１０１３へ進む。ステップＳ１０１３において、演算回路１０１は表示装置１０９へ指示を送り、セグメント２９による「ＩＳＯ」およびセグメント３０による「ＡＵＴＯ」を、それぞれ所定時間（たとえば３秒間）点滅表示させた上で消灯し、図３６による処理を終了して図４のステップＳ３へ進む。
【０１９６】
以上説明した変形例１によれば、感度自動制御モードに設定している状態で感度簡易設定の機能をセットすると、感度簡易設定機能のセットを許可して感度自動制御モードの設定を取消す（解除）。また、感度簡易設定機能をセットした状態で感度自動制御モードを設定すると、感度自動制御モードへの設定を許可して感度簡易設定機能のセットを取り消す（解除）。後から行われる設定／セットを優先して許可することによって感度自動制御モードの設定と感度簡易設定の機能の同時設定／セットを回避するようにしたため、ユーザによる感度設定操作と、カメラによる感度値の自動制御とが同時に行われることを防止できる。
【０１９７】
（変形例２）
先に行われる設定／セットを優先したり、後から行われる設定／セットを優先する代わりに、感度自動制御モードへの設定を感度簡易設定機能のセットより優先させて行うようにしてもよい。この場合には、感度自動制御モードに設定している状態で感度簡易設定機能をセットする操作が行われても、感度簡易設定機能のセットを許可しない。また、感度簡易設定機能をセットした状態で感度自動制御モードへの設定操作が行われると、感度自動制御モードへの設定を許可して感度簡易設定機能のセットを取り消す（解除）。
【０１９８】
（変形例３）
変形例２とは反対に、感度簡易設定機能のセットを感度自動制御モードへの設定より優先させて行うようにしてもよい。この場合には、感度簡易設定機能をセットした状態で感度自動制御モードへの設定操作が行われても、感度自動制御モードへの設定を許可しない。また、感度自動制御モードに設定している状態で感度簡易設定の機能をセットする操作が行われると、感度簡易設定機能のセットを許可して感度自動制御モードの設定を取消す（解除）。
【０１９９】
（変形例４）
以上の説明では、レリーズボタン１１が半押し操作された後に、上記（３）、（４）、（５）の場合にセグメント群２８による感度表示に代えて、セグメント群２８で残コマ数Ｎ（または連続撮影可能コマ数ＮＳ）の表示を行うようにした。この代わりに、レリーズボタンが全押し操作されると単写撮影を行う場合には、レリーズボタン１１が半押し操作された後もセグメント群２８およびセグメント３１で感度表示を継続するように表示制御してもよい。なお、レリーズボタンが全押し操作されている間に連写撮影を行う場合には、レリーズボタン１１が半押し操作された後はセグメント群２８による感度表示に代えて、セグメント群２８で残コマ数Ｎ（または連続撮影可能コマ数ＮＳ）の表示を行うように表示制御する。
【０２００】
（変形例５）
また、レリーズボタン１１が半押し操作された後も、上記（３）、（４）、（５）の場合にセグメント群２８による感度表示を維持し、レリーズボタンが全押し操作による撮影後、所定時間（たとえば、３秒間）、感度表示に代えてセグメント群２８で残コマ数Ｎ（または連続撮影可能コマ数ＮＳ）の表示を行い、所定時間が経過するとセグメント群２８およびセグメント３１で再び感度表示を行うように表示制御してもよい。
【０２０１】
以上の説明はあくまで一例であり、上記の実施形態の構成に何ら限定されるものではない。
【図面の簡単な説明】
【０２０２】
【図１】本発明の一実施の形態による電子カメラの上面図である。
【図２】表示器による表示内容を説明する図である。
【図３】電子カメラの構成を説明するブロック図である。
【図４】演算算回路が行うメイン処理を説明するフローチャートである。
【図５】設定処理の詳細について説明するフローチャートである。
【図６】設定処理の詳細について説明するフローチャートである。
【図７】設定処理の詳細について説明するフローチャートである。
【図８】設定処理の詳細について説明するフローチャートである。
【図９】設定処理の詳細について説明するフローチャートである。
【図１０】設定処理の詳細について説明するフローチャートである。
【図１１】設定処理の詳細について説明するフローチャートである。
【図１２】設定処理の詳細について説明するフローチャートである。
【図１３】設定処理の詳細について説明するフローチャートである。
【図１４】露出演算処理の詳細について説明するフローチャートである。
【図１５】露出演算処理の詳細について説明するフローチャートである。
【図１６】露出演算処理の詳細について説明するフローチャートである。
【図１７】表示１の処理の詳細について説明するフローチャートである。
【図１８】表示２の処理の詳細について説明するフローチャートである。
【図１９】撮像シーケンス処理の詳細について説明するフローチャートである。
【図２０】表示器を例示する図である。
【図２１】表示器を例示する図である。
【図２２】表示器を例示する図である。
【図２３】表示器を例示する図である。
【図２４】表示器を例示する図である。
【図２５】表示器を例示する図である。
【図２６】表示器を例示する図である。
【図２７】表示器を例示する図である。
【図２８】表示器を例示する図である。
【図２９】表示器を例示する図である。
【図３０】表示器を例示する図である。
【図３１】表示器を例示する図である。
【図３２】表示器を例示する図である。
【図３３】表示器を例示する図である。
【図３４】表示器を例示する図である。
【図３５】変形例１の設定処理の詳細について説明するフローチャートである。
【図３６】変形例１の設定処理の詳細について説明するフローチャートである。
【符号の説明】
【０２０３】
１…電子カメラ
１２…メインコマンドダイヤル
１３…サブコマンドダイヤル
１７…カスタムセッティングボタン
１８…感度自動制御モード設定ボタン
２１…表示器
１０１…演算回路
１０９…表示装置
ＳＷ１…半押しスイッチ
ＳＷ２…全押しスイッチ
ＳＷ６…カスタムスイッチ
ＳＷ７…感度自動制御スイッチ
ＳＷ８、ＳＷ９…メインコマンドダイヤルスイッチ
ＳＷ１０、ＳＷ１１…サブコマンドダイヤルスイッチ
【図１】
0004973538.tif 000002
【図２】
0004973538.tif 000003
【図３】
0004973538.tif 000004
【図４】
0004973538.tif 000005
【図５】
0004973538.tif 000006
【図６】
0004973538.tif 000007
【図７】
0004973538.tif 000008
【図８】
0004973538.tif 000009
【図９】
0004973538.tif 000010
【図１０】
0004973538.tif 000011
【図１１】
0004973538.tif 000012
【図１２】
0004973538.tif 000013
【図１３】
0004973538.tif 000014
【図１４】
0004973538.tif 000015
【図１５】
0004973538.tif 000016
【図１６】
0004973538.tif 000017
【図１７】
0004973538.tif 000018
【図１８】
0004973538.tif 000019
【図１９】
0004973538.tif 000020
【図２０】
0004973538.tif 000021
【図２１】
0004973538.tif 000022
【図２２】
0004973538.tif 000023
【図２３】
0004973538.tif 000024
【図２４】
0004973538.tif 000025
【図２５】
0004973538.tif 000026
【図２６】
0004973538.tif 000027
【図２７】
0004973538.tif 000028
【図２８】
0004973538.tif 000029
【図２９】
0004973538.tif 000030
【図３０】
0004973538.tif 000031
【図３１】
0004973538.tif 000032
【図３２】
0004973538.tif 000033
【図３３】
0004973538.tif 000034
【図３４】
0004973538.tif 000035
【図３５】
0004973538.tif 000036
【図３６】
0004973538.tif 000037